(57)【要約】【課題】ライン数が少ない光電変換素子を備えたスキャナを使用して、高速で、かつ、低電力で２色の原稿の画像を読み取ることができるようにする。【解決手段】それぞれ異なる発光色光を発光し、原稿を照射する複数の光源と、二つの光源に各発光色光を発光させる光源制御部２５と、前記原稿での反射光を受けて電気的な信号を生成することによって原稿の画像を読み取るイメージセンサ２３と、前記電気的な信号に基づいて、画像データを生成する画像データ生成処理部とを有する。２色カラー読取モードで赤黒印刷等の色数が少ない原稿の画像を読み取る際の、１ラインごとの二つの光源が発光する時間、すなわち、合計の発光時間を短くすることができる。【選択図】図１
2015012353.tif 000002
【特許請求の範囲】
【請求項１】
（ａ）それぞれ異なる発光色光を発光し、原稿を照射する複数の光源と、
（ｂ）該各光源のうちの二つの光源に各発光色光を発光させる光源制御部と、
（ｃ）前記原稿での反射光を受けて電気的な信号を生成することによって原稿の画像を読み取るイメージセンサと、
（ｄ）前記電気的な信号に基づいて画像データを生成する画像データ生成処理部とを有することを特徴とする画像読取装置。
【請求項２】
前記二つの光源が各発光色光を発光するごとに、前記イメージセンサは１ラインの画像を読み取る請求項１に記載の画像読取装置。
【請求項３】
前記イメージセンサは密着イメージセンサである請求項１又は２に記載の画像読取装置。
【請求項４】
前記イメージセンサは１ラインの撮像素子を備える請求項１〜３のいずれか１項に記載の画像読取装置。
【請求項５】
（ａ）原稿を搬送するための原稿搬送用の駆動部と、
（ｂ）前記二つの光源が各発光色光を発光させる発光時間に基づいて、前記原稿搬送用の駆動部の１ステップの駆動時間を設定する搬送制御部とを有する請求項１〜４のいずれか１項に記載の画像読取装置。
【請求項６】
（ａ）前記イメージセンサを移動させるためのイメージセンサ移動用の駆動部と、
（ｂ）前記二つの光源が各発光色光を発光させる発光時間に基づいて、前記イメージセンサ移動用の駆動部の１ステップの駆動時間を設定する搬送制御部とを有する請求項１〜４のいずれか１項に記載の画像読取装置。
【請求項７】
（ａ）請求項１〜６のいずれか１項に記載の画像読取装置と、
（ｂ）該画像読取装置において生成された画像データに基づいて、媒体に画像を形成する画像形成装置とを有することを特徴とする画像処理装置。
【請求項８】
（ａ）前記画像形成装置は、複数の画像形成ユニット、及び該画像形成ユニットの装置本体への装着の有無を検出する装着検出部を備え、
（ｂ）前記画像処理装置において、前記光源制御部は、装置本体に装着された画像形成ユニットに対応する二つの光源に各発光色光を発光させる請求項７に記載の画像処理装置。
【発明の詳細な説明】
【技術分野】
【０００１】
本発明は、画像読取装置及び画像処理装置に関するものである。
【背景技術】
【０００２】
従来、２ラインの光電変換素子、例えば、ＣＣＤを備えたイメージセンサを使用し、色数が少ない２色の原稿、例えば、赤及び黒の原稿（以下「赤黒原稿」という。）の画像を読み取るようにした画像読取装置が提供されている。該画像読取装置においては、光源によって赤及び緑の波長を有する光を発光させて赤黒原稿を照射し、赤黒原稿での反射光の輝度の差に基づいて赤及び緑の２色を識別するようにしている。その場合、光源の電力消費を大きくすることなく、各色当たりの光量を３／２倍にすることができるので、高速で、かつ、低電力で画像を読み取ることができる（例えば、特許文献１参照。）。
【先行技術文献】
【特許文献】
【０００３】
【特許文献１】特開２００４−７２４０８号公報
【発明の概要】
【発明が解決しようとする課題】
【０００４】
しかしながら、前記従来の画像読取装置においては、ライン数が少ない光電変換素子、例えば、１ラインの光電変換素子を備えたイメージセンサを使用した場合に、赤黒原稿の画像を読み取ることができない。
【０００５】
本発明は、前記従来の画像読取装置の問題点を解決して、ライン数が少ない光電変換素子を備えたイメージセンサを使用して、高速で、かつ、低電力で赤黒原稿等の色数が少ない２色の原稿の画像を読み取ることができる画像読取装置及び画像形成装置を提供することを目的とする。
【課題を解決するための手段】
【０００６】
そのために、本発明の画像読取装置においては、それぞれ異なる発光色光を発光し、原稿を照射する複数の光源と、該各光源のうちの二つの光源に各発光色光を発光させる光源制御部と、前記原稿での反射光を受けて電気的な信号を生成することによって原稿の画像を読み取るイメージセンサと、前記電気的な信号に基づいて画像データを生成する画像データ生成処理部とを有する。
【発明の効果】
【０００７】
本発明によれば、画像読取装置においては、それぞれ異なる発光色光を発光し、原稿を照射する複数の光源と、該各光源のうちの二つの光源に各発光色光を発光させる光源制御部と、前記原稿での反射光を受けて電気的な信号を生成することによって原稿の画像を読み取るイメージセンサと、前記電気的な信号に基づいて画像データを生成する画像データ生成処理部とを有する。
【０００８】
この場合、二つの光源が発光した発光色光が原稿に照射され、イメージセンサが、原稿での反射光を受け、電気的な信号を生成し、該電気的な信号に基づいて画像データが生成されるので、２色カラー読取モードで二つの色の原稿の画像を読み取る際の、１ラインごとの二つの光源が発光する時間、すなわち、合計の発光時間を短くすることができる。したがって、色数が少ない原稿を高速で読み取ることができる。
【０００９】
また、１ラインごとに二つの光源だけが駆動されるので、光源の消費電力量を削減し、低電力で赤黒原稿の画像を読み取ることができる。
【図面の簡単な説明】
【００１０】
【図１】本発明の第１の実施の形態における複合機の第１の制御ブロック図である。
【図２】本発明の第１の実施の形態における複合機の第２の制御ブロック図である。
【図３】本発明の第１の実施の形態における複合機の概略図である。
【図４】本発明の第１の実施の形態におけるイメージセンサユニットの概念図である。
【図５】本発明の第１の実施の形態におけるシェーディング回路の制御ブロック図である。
【図６】本発明の第１の実施の形態における搬送制御部の制御ブロック図である。
【図７】本発明の第１の実施の形態における２色カラー読取モードで原稿の画像を読み取る場合に２色カラーの画像データを生成する方法を説明するための図である。
【図８】本発明の第１の実施の形態における操作パネルを示す図である。
【図９】本発明の第１の実施の形態におけるスキャン機能の選択画面の例を示す図である。
【図１０】本発明の第１の実施の形態における赤黒原稿を赤黒複写するときの複合機の動作を示すフローチャートである。
【図１１】本発明の第１の実施の形態における２色カラー読取モードで赤黒原稿の画像を読み取る場合のＬＥＤ光源及び密着イメージセンサの動作を説明するためのタイムチャートである。
【図１２】本発明の第１の実施の形態におけるフルカラー読取モードで赤黒原稿の画像を読み取る場合のＬＥＤ光源及び密着イメージセンサの動作を説明するためのタイムチャートである。
【図１３】本発明の第２の実施の形態における複合機の概略図である。
【図１４】本発明の第２の実施の形態における複合機の第１の制御ブロック図である。
【図１５】本発明の第２の実施の形態における複合機の第２の制御ブロック図である。
【図１６】本発明の第２の実施の形態における画像出力テーブルの例を示す図である。
【図１７】本発明の第２の実施の形態における操作パネルを示す図である。
【図１８】本発明の第２の実施の形態におけるカラー複写の選択画面の例を示す図である。
【図１９】本発明の第２の実施の形態における赤黒原稿を赤黒複写するときの複合機の動作を示すフローチャートである。
【発明を実施するための形態】
【００１１】
以下、本発明の実施の形態について図面を参照しながら詳細に説明する。この場合、画像処理装置としての複合機について説明する。
【００１２】
図３は本発明の第１の実施の形態における複合機の概略図である。
【００１３】
図に示されるように、複合機（Ｍｕｌｔｉｆｕｎｃｔｉｏｎ  Ｐｅｒｉｐｈｅｒａｌ）１０は、画像形成部としての、かつ、画像形成装置としてのプリンタ２０、及び該プリンタ２０の上に配設された画像読取部としての、かつ、画像読取装置としてのスキャナ４０を備え、該スキャナ４０においては、フルカラー読取モード、２色カラー読取モード（高速化読取モード）及びモノクロ読取モードの三つの読取モードで原稿の画像が読み取られ、プリンタ２０においては、２色カラー印刷及びモノクロ印刷を行うことができるようになっている。なお、２色カラー読取モードにおいて、色数が少ない原稿、本実施の形態においては、赤及び黒の２色の原稿、すなわち、赤黒原稿の画像が読み取られ、２色カラー印刷において、赤及び黒の２色の印刷、すなわち、赤黒カラー印刷が行われる。
【００１４】
まず、スキャナ４０について説明する。
【００１５】
スキャナ４０は、フラットベッド部（Ｆｌａｔｂｅｄ）８０、及び該フラットベッド部８０の上方に、フラットベッド部８０に対して開閉自在に配設された自動原稿送り部（Ａｕｔｏｍａｔｉｃ  Ｄｏｃｕｍｅｎｔ  Ｆｅｅｄｅｒ）９０を備える。
【００１６】
該自動原稿送り部９０は、原稿を載置するための第１の原稿載置部としての原稿載置台１２１、該原稿載置台１２１に原稿が載置されたことを検知する原稿検出部としての原稿検知センサ１２８、原稿載置台１２１から原稿を繰り出す原稿繰出部材としてのピックアップローラ１２２、原稿を搬送する第１、第２の原稿搬送部材としての搬送ローラ対１２３、１２４、原稿が読取開始位置に到達したことを検出し、読取開始のタイミングを発生させる読取開始位置検出部としての読取位置センサ１２６、搬送された原稿を下方に向けて押す原稿押圧板１２７、画像の読取りが終了した原稿を排出するための第１、第２の原稿排出部材としての排出ローラ対１２９、１３１、原稿が排出されたことを検出する原稿排出検出部としての原稿排出センサ１３０、排出された原稿を積載する排紙トレイ１３２、及び原稿を搬送するための原稿搬送用の駆動部としてのステッピングモータＳｔｍ１を備える。
【００１７】
また、フラットベッド部８０は、読取ユニットとしてのイメージセンサユニット３８、基準部材としての白基準板１３９、原稿を載置するための第２の原稿載置部としてのフラットベッド部原稿台１３３、原稿を当接させるためのコンタクトガラス１３４、第１、第２のプーリ１３５、１３６、該第１、第２のプーリ１３５、１３６によって張設され、走行に伴って、イメージセンサユニット３８を移動させる搬送ベルト１３７、イメージセンサユニット３８が所定の位置に移動したことを検出する位置検出部としてのホームセンサ１４０、及び第１のプーリ１３５を回転させ、搬送ベルト１３７を走行させて、イメージセンサユニット３８を移動させ、後述される密着イメージセンサ２３（図４）を移動させるためのイメージセンサ移動用の駆動部としてのステッピングモータＳｔｍ２を備える。
【００１８】
前記イメージセンサユニット３８は、ステッピングモータＳｔｍ２の駆動に伴って、原稿押圧板１２７と対向する位置に設定された原稿読取位置に置かれ、該原稿読取位置において、原稿載置台１２１から繰り出され、第１、第２の搬送ローラ対１２３、１２４によって搬送された原稿の画像を読み取り、原稿データを生成する。また、イメージセンサユニット３８は、ステッピングモータＳｔｍ２の駆動に伴ってコンタクトガラス１３４に沿って移動させられ、フラットベッド部原稿台１３３上に載置された原稿を走査して画像を読み取り、原稿データを生成する。
【００１９】
そのために、イメージセンサユニット３８内に、ライン数が少ない、本実施の形態においては、１ラインの光電変換素子としての複数の撮像素子が撮像素子アレイを形成して配設され、前記各撮像素子は、原稿の画像を読み取り、画像に応じて電荷を蓄積し、所定の電圧を発生させ、アナログ信号を出力する。
【００２０】
ところで、各撮像素子が発生させる電圧にはばらつきが生じるので、前記原稿データにもその分ばらつきが生じる。そこで、コンタクトガラス１３４上のフラットベッド部原稿台１３３の読取範囲外に前記白基準板１３９が配設され、イメージセンサユニット３８が白基準板１３９と対向する位置に置かれ、原稿データを補正するための後述されるシェーディング動作が行われる。該シェーディング動作においては、前記撮像素子が白基準板１３９を読み取ることによってアナログ信号が生成され、該アナログ信号に基づいて前記原稿データが補正される。
【００２１】
次に、プリンタ２０について説明する。
【００２２】
プリンタ２０は、前記スキャナ４０から原稿データを画像データとして受けたり、外部、例えば、上位装置としての図示されないホストコンピュータからの印刷データを画像データとして受信したりして、画像データに基づいて、媒体としての用紙Ｐ１に画像を形成し、印刷を行う。
【００２３】
そのために、前記プリンタ２０の下方に、用紙Ｐ１を収容する媒体収容装置としての用紙カセット１４１が複合機１０の筐体Ｃｓ１に対して着脱自在に配設され、前記用紙カセット１４１の前端に、繰出部材としてのホッピングローラ１４２、及び図示されない分離装置が配設される。前記ホッピングローラ１４２は、繰出用の駆動部としてのホッピングモータＨｍを駆動することによって回転させられ、用紙カセット１４１に収容された用紙Ｐ１を、前記分離装置によって１枚ずつ分離させて、プリンタ２０内においてほぼＳ字状の形状に形成された媒体搬送路としての用紙搬送路Ｒｔ１に繰り出す。
【００２４】
該用紙搬送路Ｒｔ１におけるホッピングローラ１４２より下流側に、ホッピングローラ１４２によって繰り出された用紙Ｐ１を搬送する第１、第２の媒体搬送部材としての搬送ローラ対１４３、１４４が配設され、該搬送ローラ対１４４より上流側の直近に、用紙Ｐ１の位置を検出する第１の媒体検出部としての用紙センサ１４５が配設され、前記搬送ローラ対１４４より下流側に、搬送ローラ対１４４によって搬送された用紙Ｐ１の斜行を矯正する第３の媒体搬送部材としてのレジストローラ対１４６が配設され、該レジストローラ対１４６より上流側及び下流側の直近に、用紙Ｐ１の位置を検出する第２、第３の媒体検出部としての用紙センサ１４７、１４８が配設される。なお、前記搬送ローラ対１４３、１４４は、いずれも、搬送ローラ、及び該搬送ローラと対向させて、かつ、搬送ローラに対して圧接させて配設されたピンチローラから成り、前記レジストローラ対１４６は、レジストローラ、及び該レジストローラと対向させて、かつ、レジストローラに対して圧接させて配設されたピンチローラから成る。前記搬送ローラ対１４３、１４４及びレジストローラ対１４６は、搬送ローラ及びレジストローラに接続された媒体搬送用の駆動部としてのレジストモータＲｍを駆動することによって回転させられる。
【００２５】
また、前記用紙搬送路Ｒｔ１におけるレジストローラ対１４６より下流側に、静電潜像形成部１５１及び転写ユニット１５２が、用紙搬送路Ｒｔ１を挟んで互いに対向させて配設される。
【００２６】
前記静電潜像形成部１５１は、複合機１０の本体、すなわち、装置本体に対して着脱自在に配設された黒の画像形成ユニット１６０Ｂｋ及び赤の画像形成ユニット１６０Ｒ、並びに各画像形成ユニット１６０Ｂｋ、１６０Ｒに配設された像担持体としての感光体ドラム１６１と対向させて配設され、該感光体ドラム１６１の表面を露光して潜像としての静電潜像を形成する露光装置としてのＬＥＤ（Ｌｉｇｈｔ  Ｅｍｉｔｔｉｎｇ  Ｄｉｏｄｅ）ヘッド１６２Ｂｋ、１６２Ｒを備える。
【００２７】
該ＬＥＤヘッド１６２Ｂｋ、１６２Ｒは、複数の発光素子であるＬＥＤから成るＬＥＤアレイ、該ＬＥＤアレイを駆動する図示されないドライブＩＣ（Ｉｎｔｅｇｒａｔｅｄ  Ｃｉｒｃｕｉｔ）、画像データを保持するレジスタ群が搭載された図示されない基板、前記各ＬＥＤの光を集光する図示されないレンズアレイ等を備え、画像データに基づいて前記各ＬＥＤが選択的に発光させられ、感光体ドラム１６１の表面を照射する。これにより、感光体ドラム１６１上に前記静電潜像が形成される。
【００２８】
なお、前記ＬＥＤヘッド１６２Ｂｋには、２色カラーの印刷用データのうちの黒の印刷用データ及びモノクロの印刷用データが供給され、ＬＥＤヘッド１６２Ｒには、２色カラーの印刷用データのうちの赤の印刷用データが供給される。
【００２９】
前記画像形成ユニット１６０Ｂｋ、１６０Ｒは、画像形成ユニット１６０Ｂｋ、１６０Ｒのフレームに装着され、それぞれ黒及び赤の現像剤としてのトナーを収容する現像剤収容部としてのトナーカートリッジ１７０Ｂｋ、１７０Ｒ、前記フレームに対して回転自在に配設された前記感光体ドラム１６１、該感光体ドラム１６１に対して圧接させて配設され、感光体ドラム１６１の表面を一様に帯電させる帯電装置としての図示されない帯電ローラ、前記感光体ドラム１６１に対して圧接させて配設され、前記静電潜像に現像剤としてのトナーを供給することによって現像剤像としてのトナー像を形成する現像剤担持体としての図示されない現像ローラ、該現像ローラに対して圧接させて配設され、前記トナーカートリッジ１７０から供給されたトナーを現像ローラに供給する現像剤供給部材としての図示されないトナー供給ローラ、前記感光体ドラム１６１の表面の近傍に配設され、感光体ドラム１６１の表面を除電する図示されない除電装置等を備える。
【００３０】
また、前記転写ユニット１５２は、駆動ローラ１６３、従動ローラ１６４、前記駆動ローラ１６３及び従動ローラ１６４によって張設された搬送ベルト１６５、該搬送ベルト１６５を介して前記各感光体ドラム１６１と対向させられる転写部材としての転写ローラ１６６、並びに転写用の駆動部としてのベルトモータＢｍを備える。該ベルトモータＢｍを駆動することによって、駆動ローラ１６３を回転させ、搬送ベルト１６５を矢印方向に走行させて用紙Ｐ１を搬送することができる。そして、前記転写ローラ１６６には、図示されない高圧電源からバイアス電圧が印加され、感光体ドラム１６１上の黒及び赤のトナー像が用紙Ｐ１に転写される。
【００３１】
前記搬送ベルト１６５は、無端に形成された抵抗の高い半導電性プラスチックフィルムによって形成され、感光体ドラム１６１と対向する面は光沢を有し、帯電させられた用紙Ｐ１を静電力によって吸着して搬送する。
【００３２】
また、前記搬送ベルト１６５の下側走行部分には、搬送ベルト１６５と対向させて図示されないクリーニングブレードが配設され、該クリーニングブレードによって搬送ベルト１６５から掻き落とされたトナー、すなわち、廃トナーは、図示されない廃トナータンクに回収される。また、前記搬送ベルト１６５の下側走行部分における所定の箇所には、搬送ベルト１６５に形成された画像の濃度を検出するために、図示されない濃度センサが配設される。
【００３３】
なお、本実施の形態において、前記画像形成ユニット１６０Ｂｋ、１６０Ｒは図示されないドラムリフトアップ機構と接続され、該ドラムリフトアップ機構は、昇降用の駆動部としての図示されないリフトアップモータを備える。該リフトアップモータを駆動することによって、ドラムリフトアップ機構を第１の状態に置くと、画像形成ユニット１６０Ｂｋ、１６０Ｒの各感光体ドラム１６１と搬送ベルト１６５とが接触させられ、赤黒カラー印刷を行うことができる。また、ドラムリフトアップ機構を第２の状態に置くと、画像形成ユニット１６０Ｂｋにおいて感光体ドラム１６１と搬送ベルト１６５とが接触させられ、画像形成ユニット１６０Ｒにおいて感光体ドラム１６１と搬送ベルト１６５とが分離させられ、モノクロ印刷を行うことができる。
【００３４】
そして、前記用紙搬送路Ｒｔ１における静電潜像形成部１５１及び転写ユニット１５２より下流側に、定着器としての定着装置１６８が配設される。該定着装置１６８は、第１の定着用ローラとしてのヒートローラ１７１、該ヒートローラ１７１に圧設させて配設された第２の定着用ローラとしての加圧ローラ１７２、前記ヒートローラ１７１の表面の近傍に非接触で配設された温度検出部としての図示されないサーミスタ等を備える。
【００３５】
前記ヒートローラ１７１は、アルミニウム等から成る中空円筒状の芯金にシリコーンゴム等から成る耐熱弾性層を被覆し、該耐熱弾性層上にＰＦＡ（テトラフルオロエチレン−パーフルオロアルキルビニルエーテル共重合体）チューブを被覆することによって形成される。前記芯金内には、例えば、ハロゲンランプ等の加熱体としてのヒータＨｒが配設される。また、前記加圧ローラ１７２は、アルミニウム等から成る芯金にシリコーンゴム等から成る耐熱弾性層を被覆し、該耐熱弾性層上にＰＦＡチューブを被覆することによって形成される。
【００３６】
前記ヒートローラ１７１は定着用の駆動部としての定着モータＦｍを駆動することによって回転させられ、加圧ローラ１７２はヒートローラ１７１の回転に伴って連回りで回転させられる。前記サーミスタは、ヒートローラ１７１の表面温度を検出し、表面温度の信号は、後述されるエンジン制御部４６（図１５）に送られる。該エンジン制御部４６は、前記サーミスタから受けた表面温度の信号に基づいて、前記ヒータＨｒのオン・オフを制御し、ヒートローラ１７１の表面温度を所定の温度に維持する。
【００３７】
また、用紙搬送路Ｒｔ１における前記定着装置１６８より下流側の近傍に、定着が行われた後の用紙Ｐ１を検出する第４の媒体検出部としての用紙センサ１７３が配設される。該用紙センサ１７３のセンサ出力に基づいて、定着装置１６８における用紙Ｐ１のジャム、ヒートローラ１７１への用紙Ｐ１の巻付き等を監視することができる。
【００３８】
そして、用紙搬送路Ｒｔ１における前記用紙センサ１７３より下流側に第４の媒体搬送部材としての搬送ローラ対１８１が、該搬送ローラ対１８１より下流側に媒体排出部材としての排出ローラ対１８２が配設される。前記搬送ローラ対１８１及び排出ローラ対１８２は、前記定着モータＦｍを駆動することによって回転させられる。したがって、定着装置１６８によって定着が行われた後の用紙Ｐ１は、搬送ローラ対１８１によって搬送され、排出ローラ対１８２によって装置本体外に排出され、媒体積載部としてのスタッカ１８３に積載される。
【００３９】
次に、前記イメージセンサユニット３８について説明する。
【００４０】
図４は本発明の第１の実施の形態におけるイメージセンサユニットの概念図である。
【００４１】
図において、イメージセンサユニット３８は、ケースＣｓ２及び該ケースＣｓ２内に配設されたイメージセンサ、本実施の形態においては、密着イメージセンサ（ＣＩＳ：Ｃｏｎｔａｃｔ  Ｉｍａｇｅ  Ｓｅｎｓｏｒ）２３を備える。
【００４２】
該密着イメージセンサ２３は、画像の読取り用の光源としてのＬＥＤ光源２０１、光学系を構成する導光板２０２、複数のロッドレンズＬｓを１列に並べることによって形成されたロッドレンズアレイ２０３、及び複数の撮像素子εを１列に並べることによって形成された撮像素子アレイ２０４を備える。本実施の形態において、各撮像素子εとしては、光の色と関係なく使用することができるように、相補性金属酸化膜半導体（以下「ＣＭＯＳ」という。）が使用される。すなわち、前記各撮像素子εは色無しの撮像素子である。
【００４３】
前記ロッドレンズアレイ２０３及び撮像素子アレイ２０４は、イメージセンサユニット３８の長手方向である主走査方向Ｘに沿って延在させられ、密着イメージセンサ２３は、主走査方向Ｘにおける原稿又は白基準板１３９の１ラインの画像を読み取る。また、イメージセンサユニット３８を副走査方向Ｙに移動させることによって、密着イメージセンサ２３は、原稿又は白基準板１３９の複数のラインの画像を１ラインずつ読み取る。各撮像素子εは、画像を読み取ることによって生成された原稿データの主走査方向の各画素ｐｘにそれぞれ対応する。
【００４４】
前記ＬＥＤ光源２０１は、それぞれ異なる発光色光を発光する三つ以上の複数の、本実施の形態においては、三つの光源としての発光素子であるＬＥＤによって形成され、赤の発光色光Ｌｒを発光する発光素子ＲＬＥＤ、緑の発光色光Ｌｇを発光する発光素子ＧＬＥＤ、及び青の発光色光Ｌｂを発光する発光素子ＢＬＥＤから成る。
【００４５】
前記スキャナ４０において、密着イメージセンサ２３が原稿の画像又は白基準板１３９を１ラインずつ読み取る場合、読取モードに応じて、前記発光素子ＲＬＥＤ、ＧＬＥＤ、ＢＬＥＤのうちの所定の発光素子が、駆動されてオンになり、前記所定の発光素子と対応する発光色光を発生させ、原稿又は白基準板１３９を照射すると、原稿又は白基準板１３９での反射光が、各ロッドレンズＬｓを介して撮像素子εに光信号として送られる。そして、各撮像素子εは、光信号を受けて電荷を蓄積し、所定の電圧を発生させることによって、光信号を電気的な信号、本実施の形態においては、アナログ信号に変換する。すなわち、密着イメージセンサ２３は、原稿又は白基準板１３９からの各発光色光Ｌｒ、Ｌｇ、Ｌｂに基づいてアナログ信号を生成する。
【００４６】
次に、前記複合機１０の制御装置について説明する。
【００４７】
図１は本発明の第１の実施の形態における複合機の第１の制御ブロック図、図２は本発明の第１の実施の形態における複合機の第２の制御ブロック図、図５は本発明の第１の実施の形態におけるシェーディング回路の制御ブロック図、図６は本発明の第１の実施の形態における搬送制御部の制御ブロック図である。
【００４８】
図に示されるように、複合機１０はスキャナ４０及びプリンタ２０を備え、該スキャナ４０及びプリンタ２０は、インタフェース部３７、４２、及びＬＡＮ（Ｌｏｃａｌ  Ａｒｅａ  Ｎｅｔｗｏｒｋ）ケーブル又はＵＳＢ等の通信ケーブルを介して互いに接続され、インタフェース部３７、４２の間の通信によって、画像データ又は命令の送受信を行う。前記インタフェース部３７、４２は、ＬＡＮケーブル又はＵＳＢ等の通信ケーブルに接続するコネクタ、通信用チップ（例えば、ＵＳＢ（Ｕｎｉｖｅｒｓａｌ  Ｓｅｒｉａｌ  Ｂｕｓ）チップ）、通信バス等を備える。
【００４９】
まず、スキャナ４０について説明する。
【００５０】
該スキャナ４０には、スキャナ４０の全体を制御する第１の主制御部としての中央処理装置（以下「ＣＰＵ」という。）２１が配設される（なお、図１において、ＣＰＵ２１は便宜上二つに分けて示される。）。
【００５１】
該ＣＰＵ２１は、第１の記憶部としての不揮発性記憶装置としてのリードオンリメモリ（以下「ＲＯＭ」という。）３６に記録された各種の制御プログラムに基づいて、プリンタ２０の全体の制御を行う。前記スキャナ４０は、前述されたように、フルカラー読取モード、２色カラー読取モード及びモノクロ読取モードの三つの読取モードで原稿の画像を読み取ることができるようになっていて、各読取モードによる読取りを実行するプログラムは前記ＲＯＭ３６に記録される。
【００５２】
前記ＬＥＤ光源２０１は光源制御部２５に、該光源制御部２５はＣＰＵ２１に接続され、ＣＰＵ２１は光源制御部２５の制御を行う。
【００５３】
前記光源制御部２５は、ＬＥＤ光源２０１の発光素子ＲＬＥＤ（図４）、ＧＬＥＤ、ＢＬＥＤをオンにして各発光色光Ｌｒ、Ｌｇ、Ｌｂを発光させるとともに、光量を制御する制御回路であり、例えば、図示されない定電流回路及び開閉回路によって構成される。ＣＰＵ２１がパルス変調（Ｐｕｌｓｅ  Ｗｉｄｔｈ  Ｍｏｄｕｌａｔｉｏｎ、以下「ＰＷＭ」という。）制御を行うと、光源制御部２５は、光源制御処理を行い、前記開閉回路によって、各発光素子ＲＬＥＤ、ＧＬＥＤ、ＢＬＥＤをオン・オフさせ、各発光素子ＲＬＥＤ、ＧＬＥＤ、ＢＬＥＤがオンになる時間の幅を変更して、各発光色光Ｌｒ、Ｌｇ、Ｌｂの光量を調整する。
【００５４】
なお、前記光源制御部２５は、前記フルカラー読取モードでカラーの原稿の画像を読み取る場合、発光素子ＲＬＥＤ、ＧＬＥＤ、ＢＬＥＤを順次オンにして各発光色光Ｌｒ、Ｌｇ、Ｌｂを発光させ、前記２色カラー読取モードで２色カラーの原稿、本実施の形態においては、赤黒原稿の画像を読み取る場合は、発光素子ＲＬＥＤ、ＧＬＥＤを順次オンにして各発光色光Ｌｒ、Ｌｇを発光させ、前記モノクロ読取モードでモノクロの原稿の画像を読み取る場合は、発光素子ＧＬＥＤをオンにして発光色光Ｌｇを発光させる。
【００５５】
ところで、前述されたように、密着イメージセンサ（ＣＩＳ）２３は、原稿からの各発光色光Ｌｒ、Ｌｇ、Ｌｂの反射光に基づいてアナログ信号を生成する。
【００５６】
ここで、前記密着イメージセンサ２３が原稿からの発光色光Ｌｒの反射光によって生成するアナログ信号を原稿アナログ信号Ｓｍｒとし、前記密着イメージセンサ２３が原稿からの発光色光Ｌｇの反射光によって生成するアナログ信号を原稿アナログ信号Ｓｍｇとし、前記密着イメージセンサ２３が原稿からの発光色光Ｌｂの反射光によって生成するアナログ信号を原稿アナログ信号Ｓｍｂとする。
【００５７】
また、イメージセンサユニット３８が白基準板１３９と対向する位置に置かれ、密着イメージセンサ２３によって白基準板１３９が読み取られるシェーディング動作において、前記密着イメージセンサ２３が白基準板１３９からの発光色光Ｌｒの反射光によって生成するアナログ信号を明出力アナログ信号Ｓｗｒとし、前記密着イメージセンサ２３が白基準板１３９からの発光色光Ｌｇの反射光によって生成するアナログ信号を明出力アナログ信号Ｓｗｇとし、前記密着イメージセンサ２３が白基準板１３９からの発光色光Ｌｂの反射光によって生成するアナログ信号を明出力アナログ信号Ｓｗｂとする。さらに、シェーディング動作が行われている間に、発光素子ＲＬＥＤ、ＧＬＥＤ、ＢＬＥＤをすべてオフにし、その状態で密着イメージセンサ２３が生成するアナログ信号を暗出力アナログ信号Ｓｋとする。
【００５８】
前記密着イメージセンサ２３は、イメージセンサ制御部としての密着イメージセンサ制御部（ＣＩＳ制御部）２２、及び原稿データ生成部としてのアナログ／デジタル変換回路（ＡＦＥ：Ａｎａｌｏｇ  Ｆｒｏｎｔ  Ｅｎｄ）２６に接続され、密着イメージセンサ制御部２２によって制御されたタイミングで前記各アナログ信号を生成し、アナログ／デジタル変換回路２６に送る。
【００５９】
そのために、密着イメージセンサ制御部２２は、図示されない密着イメージセンサライン信号生成部、クロック生成部及び解像度切替信号生成部を備える。そして、前記密着イメージセンサライン信号生成部が生成する密着イメージセンサライン信号が密着イメージセンサ２３に送られると、密着イメージセンサ２３は、ラインごとに各撮像素子εが受けた光信号によって電荷の蓄積を行う。また、前記クロック生成部が生成するクロック信号が密着イメージセンサ２３に送られると、該密着イメージセンサ２３は、クロック信号に応じて、各撮像素子εが受けた光信号に応じてアナログ信号を生成する。なお、前記解像度切替信号生成部が生成する解像度切替信号が密着イメージセンサ２３に送られると、該密着イメージセンサ２３は、設定された解像度に応じてあらかじめ決められた数の撮像素子εを使用してアナログ信号を生成する。
【００６０】
また、前記密着イメージセンサ制御部２２は、ＣＰＵ２１に接続され、該ＣＰＵ２１は、密着イメージセンサ制御部２２の制御を行うとともに、密着イメージセンサ制御部２２が生成する各制御信号のタイミングを制御する。
【００６１】
そして、前記アナログ／デジタル変換回路２６は、アナログ／デジタル変換回路処理を行い、密着イメージセンサ２３が生成した各アナログ信号を、各画素ごとのデジタルデータから成る原稿データに変換し、第１〜第３のラインデータ記憶部としてのラインメモリ２７〜２９に記録する。
【００６２】
すなわち、前記アナログ／デジタル変換回路２６は、発光素子ＲＬＥＤによる発光色光Ｌｒの発光によって密着イメージセンサ２３が生成する原稿アナログ信号Ｓｍｒを原稿データＤｍｒに変換してラインメモリ２７に記録し、発光素子ＧＬＥＤによる発光色光Ｌｇの発光によって密着イメージセンサ２３が生成する原稿アナログ信号Ｓｍｇを原稿データＤｍｇに変換してラインメモリ２８に記録し、発光素子ＢＬＥＤによる発光色光Ｌｂの発光によって密着イメージセンサ２３が生成する原稿アナログ信号Ｓｍｂを原稿データＤｍｂに変換してラインメモリ２９に記録する。なお、原稿データＤｍｒは各画素ｐｘにおける赤の情報を、原稿データＤｍｇは各画素ｐｘにおける緑の情報を、原稿データＤｍｂは、各画素ｐｘにおける青の情報を有する。
【００６３】
また、前記アナログ／デジタル変換回路２６は、シェーディング動作中に、発光素子ＲＬＥＤによる発光色光Ｌｒの発光によって密着イメージセンサ２３が生成する明出力アナログ信号Ｓｗｒを明出力データＤｗｒに変換してラインメモリ２７に記録し、発光素子ＧＬＥＤによる発光色光Ｌｇの発光によって密着イメージセンサ２３が生成する明出力アナログ信号Ｓｗｇを明出力データＤｗｇに変換してラインメモリ２８に記録し、発光素子ＢＬＥＤによる発光色光Ｌｂの発光によって密着イメージセンサ２３が生成する明出力アナログ信号Ｓｗｂを明出力データＤｗｂに変換してラインメモリ２９に記録する。
【００６４】
そして、前記アナログ／デジタル変換回路２６は、シェーディング動作中に、発光素子ＲＬＥＤ、ＧＬＥＤ、ＢＬＥＤがすべてオフにされた状態で、密着イメージセンサ２３が生成する暗出力アナログ信号Ｓｋを暗出力データＤｋに変換してラインメモリ２８に記録する。
【００６５】
なお、前記アナログ／デジタル変換回路２６はＣＰＵ２１及びラインメモリ２７〜２９に接続され、前記ＣＰＵ２１は、アナログ／デジタル変換回路２６の制御を行うとともに、アナログ／デジタル変換回路２６が各アナログ信号を各原稿データＤｍｒ、Ｄｍｇ、Ｄｍｂ、明出力データＤｗｒ、Ｄｗｇ、Ｄｗｂ及び暗出力データＤｋに変換するタイミング、並びにラインメモリ２７〜２９に記録するタイミングを制御する。
【００６６】
次に、ラインメモリ２７〜２９について説明する。
【００６７】
各ラインメモリ２７〜２９は、いずれも揮発性メモリ（例えば、ＲＡＭ：Ｒａｎｄｏｍ  Ａｃｃｅｓｓ  Ｍｅｍｏｒｙ）によって形成され、それぞれ記録されるデータが異なる。なお、ラインメモリ２７〜２９を一つの揮発性メモリによって形成することができる。
【００６８】
前記ラインメモリ２７は、第１、第２のラインバッファＢｆ１、Ｂｆ２から成り、第１のラインバッファＢｆ１にシェーディング補正を行うための前記明出力データＤｗｒが、第２のラインバッファＢｆ２に原稿データＤｍｒがそれぞれ記録される。
【００６９】
前記ラインメモリ２７は、ＣＰＵ２１、平均化回路３０及びシェーディング回路３１に接続され、前記ＣＰＵ２１は、ラインメモリ２７に対して明出力データＤｗｒ及び原稿データＤｍｒをライト／リードするタイミングを制御する。したがって、ＣＰＵ２１の指示により、前記第１のラインバッファＢｆ１に記録されたラインごとの各画素ｐｘの明出力データＤｗｒが平均化回路３０に送られ、前記第２のラインバッファＢｆ２に記録されたラインごとの各画素ｐｘの原稿データＤｍｒがシェーディング回路３１に送られる。
【００７０】
また、前記ラインメモリ２８は、第１、第２のラインバッファＢｆ１、Ｂｆ２から成り、第１のラインバッファＢｆ１にシェーディング補正を行うための前記明出力データＤｗｇ及び暗出力データＤｋが記録され、第２のラインバッファＢｆ２に原稿データＤｍｇが記録される。
【００７１】
前記ラインメモリ２８は、ＣＰＵ２１、平均化回路３０及びシェーディング回路３１に接続され、前記ＣＰＵ２１は、ラインメモリ２８に対して前記明出力データＤｗｇ及び暗出力データＤｋ並びに原稿データＤｍｇをライト／リードするタイミングを制御する。したがって、ＣＰＵ２１の指示により、前記第１のラインバッファＢｆ１に記録されたラインごとの各画素ｐｘの明出力データＤｗｇ及び暗出力データＤｋが平均化回路３０に送られ、前記第２のラインバッファＢｆ２に記録されたラインごとの各画素ｐｘの原稿データＤｍｇがシェーディング回路３１に送られる。
【００７２】
また、前記ラインメモリ２９は、第１、第２のラインバッファＢｆ１、Ｂｆ２から成り、第１のラインバッファＢｆ１にシェーディング補正を行うための前記明出力データＤｗｂが記録され、第２のラインバッファＢｆ２に原稿データＤｍｂが記録される。
【００７３】
前記ラインメモリ２９は、ＣＰＵ２１、平均化回路３０及びシェーディング回路３１に接続され、前記ＣＰＵ２１は、ラインメモリ２９に対して前記明出力データＤｗｂ及び原稿データＤｍｂをライト／リードするタイミングを制御する。したがって、ＣＰＵ２１の指示により、前記第１のラインバッファＢｆ１に記録されたラインごとの各画素ｐｘの明出力データＤｗｂが平均化回路３０に送られ、前記第２のラインバッファＢｆ２に記録されたラインごとの各画素ｐｘの原稿データＤｍｂがシェーディング回路３１に送られる。
【００７４】
なお、スキャナ４０において、フルカラー読取モードで原稿の画像を読み取る場合、ラインメモリ２７から原稿データＤｍｒが、ラインメモリ２８から原稿データＤｍｇが、ラインメモリ２９から原稿データＤｍｂが、シェーディング回路３１に送られ、２色カラー読取モードで原稿の画像を読み取る場合、ラインメモリ２７から原稿データＤｍｒが、ラインメモリ２８から原稿データＤｍｇが、シェーディング回路３１に送られ、モノクロ読取モードで原稿の画像を読み取る場合、ラインメモリ２８から原稿データＤｍｇがシェーディング回路３１に送られる。
【００７５】
前記ラインメモリ２７〜２９において、前記各第１、第２のラインバッファＢｆ１、Ｂｆ２のメモリサイズは、密着イメージセンサ２３の撮像素子εの数によって決められ、前記各第１、第２のラインバッファＢｆ１、Ｂｆ２のバッファの数は、スキャナ４０によって原稿の画像の全体が読み取られるタイミングによって決められる。
【００７６】
次に、平均化回路３０について説明する。
【００７７】
前述されたように、密着イメージセンサ２３が１ラインずつ原稿の画像を読み取ると、ラインメモリ２７から、ラインごとの各画素ｐｘの明出力データＤｗｒが平均化回路３０に送られ、ラインメモリ２８から、ラインごとの各画素ｐｘの明出力データＤｗｇ及び暗出力データＤｋが平均化回路３０に送られ、ラインメモリ２９から、ラインごとの各画素ｐｘの明出力データＤｗｂが平均化回路３０に送られる。
【００７８】
そして、平均化回路３０は、平均化回路処理を行い、明出力データＤｗｒに基づいて白基準データＷｒ（ｐｘｊ）を、明出力データＤｗｇに基づいて白基準データＷｇ（ｐｘｊ）を、明出力データＤｗｂに基づいて白基準データＷｂ（ｐｘｊ）を、暗出力データＤｋに基づいて黒基準データＷｋ（ｐｘｊ）を生成する。
【００７９】
すなわち、密着イメージセンサ２３は、発光素子ＲＬＥＤによって発光色光Ｌｒを発光させ、副走査方向Ｙに沿って白基準板１３９の複数のラインＬｉ（ｉ＝１、２、…、ｎ）の画像を１ラインずつ読み取った後、平均化回路３０は、ラインメモリ２７から送られた、複数のラインＬｉ分の各画素ｐｘｊ（ｊ＝１、２、…、ｍ）ごとの明出力データＤｗｒの平均値を白基準データＷｒ（ｐｘｊ）として算出する。
【００８０】
例えば、各ラインＬｉにおける各画素ｐｘｊの明出力データをＤｗｒｉ（ｐｘｊ）（ｉ＝１、２、…、ｎ；ｊ＝１、２、…、ｍ）としたとき、所定の画素ｐｘ１の白基準データＷｒ（ｐｘ１）は、すべてのラインＬｉの明出力データＤｗｒｉ（ｐｘ１）の和をラインＬｉの総数ｎで除算した値であり、
Ｗｒ（ｐｘ１）＝（Ｄｗｒ１（ｐｘ１）＋Ｄｗｒ２（ｐｘ１）＋…
＋Ｄｗｒｎ（ｐｘ１））／ｎ
になる。この場合、Ｄｗｒ１（ｐｘ１）は１ライン目の画素ｐｘ１の明出力データ、Ｄｗｒ２（ｐｘ１）は２ライン目の画素ｐｘ１の明出力データ、Ｄｗｒｎ（ｐｘ１）はｎライン目の画素ｐｘ１の明出力データである。
【００８１】
同様に、画素ｐｘ２の白基準データＷｒ（ｐｘ２）は、
Ｗｒ（ｐｘ２）＝（Ｄｗｒ１（ｐｘ２）＋Ｄｗｒ２（ｐｘ２）＋…
＋Ｄｗｒｎ（ｐｘ２））／ｎ
になる。
【００８２】
また、密着イメージセンサ２３は、発光素子ＧＬＥＤによって発光色光Ｌｇを発光させ、副走査方向Ｙに沿って白基準板１３９の複数のラインＬｉ（ｉ＝１、２、…、ｎ）の画像を１ラインずつ読み取った後、平均化回路３０は、ラインメモリ２８から送られた、複数のラインＬｉ分の各画素ｐｘｊ（ｊ＝１、２、…、ｍ）ごとの明出力データＤｗｇの平均値を白基準データＷｇ（ｐｘｊ）として算出する。
【００８３】
例えば、各ラインＬｉにおける各画素ｐｘｊの明出力データをＤｗｇｉ（ｐｘｊ）（ｉ＝１、２、…、ｎ；ｊ＝１、２、…、ｍ）としたとき、所定の画素ｐｘ１の白基準データＷｇ（ｐｘ１）は、すべてのラインＬｉの明出力データＤｗｇｉ（ｐｘ１）の和をラインの総数ｎで除算した値であり、
Ｗｇ（ｐｘ１）＝（Ｄｗｇ１（ｐｘ１）＋Ｄｗｇ２（ｐｘ１）＋…
＋Ｄｗｇｎ（ｐｘ１））／ｎ
になる。
【００８４】
そして、密着イメージセンサ２３は、発光素子ＢＬＥＤによって発光色光Ｌｂを発光させ、副走査方向Ｙに沿って白基準板１３９の複数のラインＬｉ（ｉ＝１、２、…、ｎ）の画像を１ラインずつ読み取った後、平均化回路３０は、ラインメモリ２９から送られた、複数のラインＬｉ分の各画素ｐｘｊ（ｊ＝１、２、…、ｍ）ごとの明出力データＤｗｂの平均値を白基準データＷｂ（ｐｘｊ）として算出する。
【００８５】
例えば、各ラインＬｉにおける各画素ｐｘｊの明出力データをＤｗｂｉ（ｐｘｊ）（ｉ＝１、２、…、ｎ；ｊ＝１、２、…、ｍ）としたとき、所定の画素ｐｘ１の白基準データＷｂ（ｐｘ１）は、すべてのラインＬｉの明出力データＤｗｂｉ（ｐｘ１）の和をラインの総数ｎで除算した値であり、
Ｗｂ（ｐｘ１）＝（Ｄｗｂ１（ｐｘ１）＋Ｄｗｂ２（ｐｘ１）＋…
＋Ｄｗｂｎ（ｐｘ１））／ｎ
になる。
【００８６】
さらに、密着イメージセンサ２３は、発光素子ＲＬＥＤ、ＧＬＥＤ、ＢＬＥＤをすべて消灯した状態で、副走査方向Ｙに沿って白基準板１３９の複数のラインＬｉ（ｉ＝１、２、…、ｎ）の画像を１ラインずつ読み取った後、平均化回路３０は、ラインメモリ２８から送られた、複数のラインＬｉ分の各画素ｐｘｊ（ｊ＝１、２、…、ｍ）ごとの暗出力データＤｋの平均値を黒基準データＷｋ（ｐｘｊ）として算出する。
【００８７】
例えば、各ラインＬｉにおける各画素ｐｘｊの暗出力データをＤｋｉ（ｐｘｊ）（ｉ＝１、２、…、ｎ；ｊ＝１、２、…、ｍ）としたとき、所定の画素ｐｘ１の黒基準データＷｋ（ｐｘ１）は、すべてのラインＬｉの暗出力データＤｋｉ（ｐｘ１）の和をラインの総数ｎで除算した値であり、
Ｗｋ（ｐｘ１）＝（Ｄｋ１（ｐｘ１）＋Ｄｋ２（ｐｘ１）＋…
＋Ｄｋｎ（ｐｘ１））／ｎ
になる。
【００８８】
なお、前記平均化回路３０は、図示されない加算器及び除算器から成り、加算器によって、すべてのラインＬｉの明出力データＤｗｒｉ（ｐｘｊ）、Ｄｗｇｉ（ｐｘｊ）、Ｄｗｂｉ（ｐｘｊ）の和、及びすべてのラインＬｉの暗出力データＤｋｉ（ｐｘ１）の加算がそれぞれ行われ、除算器によってラインの総数ｎによる除算がそれぞれ行われる。
【００８９】
前記平均化回路３０は、ＣＰＵ２１及びシェーディング回路３１に接続され、ＣＰＵ２１は、平均化回路３０の制御を行うとともに、白基準データＷｒ（ｐｘｊ）、Ｗｇ（ｐｘｊ）、Ｗｂ（ｐｘｊ）及び黒基準データＷｋ（ｐｘｊ）を算出するタイミング、並びにシェーディング回路３１に送るタイミングを制御する。
【００９０】
そして、スキャナ４０において、フルカラー読取モードで原稿の画像を読み取る場合、平均化回路３０から、全画素ｐｘｊのうちの画像が読み取られるラインの各画素ｐｘｈについての白基準データＷｒ（ｐｘｈ）、Ｗｇ（ｐｘｈ）、Ｗｂ（ｐｘｈ）及び黒基準データＷｋ（ｐｘｈ）がシェーディング回路３１に送られ、２色カラー読取モードで赤黒原稿の画像を読み取る場合、各画素ｐｘｈについての白基準データＷｒ（ｐｘｈ）、Ｗｇ（ｐｘｈ）及び黒基準データＷｋ（ｐｘｈ）がシェーディング回路３１に送られ、モノクロ読取モードで原稿の画像を読み取る場合、各画素ｐｘｈについての白基準データＷｇ（ｐｘｈ）及び黒基準データＷｋ（ｐｘｈ）がシェーディング回路３１に送られる。
【００９１】
なお、２色カラー読取モードで赤黒原稿の画像を読み取る場合、前記平均化回路３０は白基準データＷｂ（ｐｘｊ）の算出を行わず、各画素ｐｘｈについての白基準データＷｂ（ｐｘｈ）がシェーディング回路３１に送られることはない。また、モノクロ読取モードで原稿の画像を読み取る場合、前記平均化回路３０は白基準データＷｒ（ｐｘｊ）、Ｗｂ（ｐｘｊ）の算出を行わず、各画素ｐｘｈについての白基準データＷｒ（ｐｘｈ）、Ｗｂ（ｐｘｈ）シェーディング回路３１に送られることはない。
【００９２】
次に、シェーディング回路３１について説明する。
【００９３】
該シェーディング回路３１は、シェーディング補正を実施するための回路であり、密着イメージセンサ２３が１ラインずつ原稿の画像を読み取ると、所定の式に基づいてラインごとにシェーディング補正を行う機能を有する。
【００９４】
前述されたように密着イメージセンサ２３が１ラインずつ原稿の画像を読み取ると、スキャナ４０において選択された読取モードに応じて、ラインメモリ２７からは各画素ｐｘの原稿データＤｍｒが、ラインメモリ２８からは各画素ｐｘの原稿データＤｍｇが、ラインメモリ２９からは各画素ｐｘの原稿データＤｍｂが、ラインごとにシェーディング回路３１に送られる。  
【００９５】
また、平均化回路３０からは、選択された読取モードに応じて、画像が読み取られるラインの各画素ｐｘｈについての白基準データＷｒ（ｐｘｈ）、Ｗｇ（ｐｘｈ）、Ｗｂ（ｐｘｈ）及び黒基準データＷｋ（ｐｘｈ）がシェーディング回路３１に送られる。
【００９６】
該シェーディング回路３１は、シェーディング回路処理を行い、原稿データＤｍｒ、Ｄｍｇ、Ｄｍｂ並びに白基準データＷｒ（ｐｘｈ）、Ｗｇ（ｐｘｈ）、Ｗｂ（ｐｘｈ）及び黒基準データＷｋ（ｐｘｈ）に基づいて、ラインごとに原稿データＤｍｒ、Ｄｍｇ、Ｄｍｂに対してシェーディング補正を行う。
【００９７】
そのために、前記シェーディング回路３１は、図５に示されるように、第１〜第３の補正回路３１ａ〜３１ｃを備え、第１の補正回路３１ａに、各画素ｐｘの原稿データＤｍｒ並びに各画素ｐｘｈについての白基準データＷｒ（ｐｘｈ）及び黒基準データＷｋ（ｐｘｈ）がラインメモリ２７から送られ、第２の補正回路３１ｂに、各画素ｐｘの原稿データＤｍｇ並びに各画素ｐｘｈについての白基準データＷｇ（ｐｘｈ）及び黒基準データＷｋ（ｐｘｈ）がラインメモリ２８から送られ、第３の補正回路３１ｃに、各画素ｐｘの原稿データＤｍｂ並びに各画素ｐｘｈについての白基準データＷｂ（ｐｘｈ）及び黒基準データＷｋ（ｐｘｈ）がラインメモリ２９から送られる。
【００９８】
そして、前記第１の補正回路３１ａは、白基準データＷｒ（ｐｘｈ）及び黒基準データＷｋ（ｐｘｈ）に基づいて原稿データＤｍｒを補正して補正データＤｍｒ’を生成し、第２の補正回路３１ｂは、白基準データＷｇ（ｐｘｈ）及び黒基準データＷｋ（ｐｘｈ）に基づいて原稿データＤｍｇを補正して補正データＤｍｇ’を生成し、第３の補正回路３１ｃは、白基準データＷｂ（ｐｘｈ）及び黒基準データＷｋ（ｐｘｈ）に基づいて原稿データＤｍｂを補正して補正データＤｍｂ’を生成する。
【００９９】
前記補正データＤｍｒ’、Ｄｍｇ’、Ｄｍｂ’は、白を２５５とし、黒を０として原稿データＤｍｒ、Ｄｍｇ、Ｄｍｂを比例で表す。なお、補正データＤｍｒ’は各画素ｐｘにおける赤の情報を、補正データＤｍｇ’は各画素ｐｘにおける緑の情報を、補正データＤｍｂ’は各画素ｐｘにおける青の情報を有する。
【０１００】
なお、フルカラー読取モードで原稿の画像を読み取る場合、第１〜第３の補正回路３１ａ〜３１ｃにおいて、原稿データＤｍｒ、Ｄｍｇ、Ｄｍｂが補正されて補正データＤｍｒ’、Ｄｍｇ’、Ｄｍｂ’が生成され、２色カラー読取モードで赤黒原稿の画像を読み取る場合、第１、第２の補正回路３１ａ、３１ｂにおいて、原稿データＤｍｒ、Ｄｍｇが補正されて補正データＤｍｒ’、Ｄｍｇ’が生成され、モノクロ読取モードで原稿の画像を読み取る場合、第２の補正回路３１ｂにおいて、原稿データＤｍｇが補正されて補正データＤｍｇ’が生成される。
【０１０１】
前記シェーディング回路３１は、ＣＰＵ２１及び第２の記憶部としてのメモリ３３に接続され、前記ＣＰＵ２１は、シェーディング回路３１の制御を行うとともに、シェーディング回路３１におけるシェーディング補正が行われるタイミング、及び生成された補正データＤｍｒ’、Ｄｍｇ’、Ｄｍｂ’をメモリ３３に記録するタイミングを制御する。
【０１０２】
そして、画像データ生成処理部としての画像処理部３２は、画像処理を行い、メモリ３３に記録された補正データＤｍｒ’、Ｄｍｇ’、Ｄｍｂ’を読み出し、該補正データＤｍｒ’、Ｄｍｇ’、Ｄｍｂ’に基づいて画像データを生成する。
【０１０３】
また、画像処理部３２は、フルカラー読取モードで原稿の画像を読み取る場合、ラインごとの各画素ｐｘの補正データＤｍｒ’、Ｄｍｇ’、Ｄｍｂ’を、そのまま、原稿における対応するラインの各画素ｐｘのＲ値、Ｇ値及びＢ値としてフルカラーの画像データＤｐ１を生成する。また、２色カラー読取モードで赤黒原稿の画像を読み取る場合、前記補正データＤｍｒ’、Ｄｍｇ’に基づいて、後述される生成方法で、原稿における対応するラインの各画素ｐｘのＲ値、Ｇ値及びＢ値を生成して、２色カラーの画像データＤｐ２を生成する。そして、モノクロ読取モードで原稿の画像を読み取る場合、補正データＤｍｇ’をそのままモノクロの画像データＤｐ３として生成する。
【０１０４】
このようにして、画像データＤｐ１〜Ｄｐ３が生成されると、画像処理部３２のスキャン画像処理手段は、スキャン画像処理を行い、画像データＤｐ１〜Ｄｐ３に対して更に、ガンマ補正、色変換、圧縮処理等のスキャン画像用の画像処理を行う。
【０１０５】
なお、前記画像処理部３２は、ＣＰＵ２１及びメモリ３３に接続され、ＣＰＵ２１は、画像処理部３２の制御を行うとともに、画像処理部３２の画像処理のタイミングを制御し、画像処理部３２によって生成された各画像データＤｐ１〜Ｄｐ３をメモリ３３に記録するタイミングを制御する。
【０１０６】
前記メモリ３３は、画像データＤｐ１〜Ｄｐ３、制御データ等を一時的に記録するために使用され、例えば、揮発性記録装置としてのＲＡＭで構成される。そして、メモリ３３は、シェーディング回路３１及び画像処理部３２に接続されているので、前述されたように、画像の読取りに伴ってシェーディング回路３１においてラインごとに生成された補正データＤｍｒ’、Ｄｍｇ’、Ｄｍｂ’が記録され、画像の読取りが終了すると、画像処理部３２において生成された画像データＤｐ１〜Ｄｐ３が記録される。
【０１０７】
また、搬送部３５は、ステッピングモータＳｔｍ１（図３）、Ｓｔｍ２、読取位置センサ１２６、原稿検知センサ１２８、原稿排出センサ１３０、ホームセンサ１４０等を備え、搬送制御部３４は、搬送部３５の制御を行う。そのために、搬送制御部３４はモータ制御部２３１を備え、該モータ制御部２３１は、モータドライバＩＣ２３２、及び該モータドライバＩＣ２３２を駆動するドライバ駆動部２３３を備える。
【０１０８】
そして、該ドライバ駆動部２３３は、スキャナ４０におけるフルカラー読取モード、２色カラー読取モード及びモノクロ読取モードの各読取モードにおいて、原稿の画像を１ラインずつ読み取る際の読取時間に基づいて、ステッピングモータＳｔｍ１、Ｓｔｍ２の１ステップの駆動時間としての回転時間及び回転ステップ数を設定し、ステッピングモータＳｔｍ１、Ｓｔｍ２を駆動する。
【０１０９】
なお、前記搬送制御部３４はＣＰＵ２１に接続され、該ＣＰＵ２１は、搬送制御部３４の制御を行うとともに、原稿の画像を読み取る際に、搬送部３５の読取位置センサ１２６、原稿検知センサ１２８、原稿排出センサ１３０、ホームセンサ１４０等の各センサのオン・オフの状態に基づいて、ステッピングモータＳｔｍ１、Ｓｔｍ２を駆動するタイミングを制御する。
【０１１０】
また、前記光源制御部２５、密着イメージセンサ制御部２２、平均化回路３０、シェーディング回路３１及び画像処理部３２を、一つの専用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって形成することができる。
【０１１１】
次に、プリンタ２０について説明する。
【０１１２】
該プリンタ２０には、プリンタ２０の全体を制御する第２の主制御部としてのＣＰＵ４１が配設される。該ＣＰＵ４１は第３の記憶部としてのＲＯＭ５０に記録された各種の制御プログラムに基づいて、プリンタ２０の全体の制御を行う。前記プリンタ２０によって、赤黒カラー印刷及びモノクロ印刷が行われる。
【０１１３】
そして、バス５５は、ＣＰＵ４１から出力される命令、制御信号、画像データ等を送受信するための通信路であり、電源装置としての低圧電源４９は、プリンタ２０内の所定の要素に交流電力及び直流電力を供給し、スキャナ４０に直流電力を供給する電源部である。前記低圧電源４９はＣＰＵ４１に接続され、該ＣＰＵ４１は、複合機１０の状態に応じて交流電力及び直流電力を制御する。
【０１１４】
また、第４の記憶部としてのＲＡＭ５１は、画像データ、制御データ等のデータを一時的に記録するために使用される。ＲＡＭ５１はＣＰＵ４１に接続され、該ＣＰＵ４１は、画像データ、制御データ等のデータをライト／リードするタイミングを制御する。
【０１１５】
そして、ＬＥＤヘッド１６２Ｂｋ、１６２ＲはＣＰＵ４１に接続され、該ＣＰＵ４１は、ＬＥＤヘッド１６２Ｂｋ、１６２Ｒに印刷用データを送るタイミングを制御する。
【０１１６】
また、印刷制御部としての制御部５２は、プリンタ２０における帯電、露光、現像、転写等の各プロセスのタイミング、すなわち、プロセスタイミングに基づいて画像形成ユニット１６０Ｂｋ、１６０Ｒの制御を行う。制御部５２は、ＣＰＵ４１に接続され、該ＣＰＵ４１から帯電、露光、現像、転写等の各プロセスを実行するための指示を受ける。
【０１１７】
前述されたように、インタフェース部４２は、スキャナ４０とプリンタ２０との間で通信を行うための通信部であり、画像データ又は制御データの送受信を行う。
【０１１８】
また、インタフェース部４３は、ホストコンピュータ１５とプリンタ２０との間で通信を行うための通信部であり、印刷データ又は命令の送受信を行う。そのために、インタフェース部４３は、ＬＡＮケーブル又はＵＳＢ等の通信ケーブルに接続するコネクタ、通信用チップ等を備える。
【０１１９】
前記インタフェース部４２、４３はＣＰＵ４１に接続され、該ＣＰＵ４１は、インタフェース部４２、４３における画像データ、印刷データ、命令等の送受信を行うタイミングを制御する。
【０１２０】
また、操作パネル４４は、操作部及び表示部を備え、操作者が操作部を操作することによって複合機１０への入力を受けたり、表示部に複合機１０の状態を表示し、操作者に通知したりする。前記操作パネル４４はＣＰＵ４１に接続され、該ＣＰＵ４１は操作パネル４４の制御を行う。
【０１２１】
そして、印刷エンジン部４５は、ホッピングモータＨｍ（図３）、レジストモータＲｍ、ベルトモータＢｍ、図示されないリフトアップモータ、定着モータＦｍ、用紙センサ１４５、１４７、１４８、１７３、図示されない高圧電源、図示されないサーミスタ、ヒータＨｒ等を備える。
【０１２２】
前記印刷エンジン部４５は、エンジン制御部４６に接続され、該エンジン制御部４６は、印刷エンジン部４５の制御を行い、ホッピングモータＨｍ、レジストモータＲｍ、ベルトモータＢｍ、リフトアップモータ、定着モータＦｍ等を駆動する。前記エンジン制御部４６は、ＣＰＵ４１に接続され、該ＣＰＵ４１は前記ホッピングモータＨｍ、レジストモータＲｍ、ベルトモータＢｍ、リフトアップモータ、定着モータＦｍ等を駆動するタイミングを制御する。
【０１２３】
また、インタフェース部４２がスキャナ４０から画像データＤｐ１〜Ｄｐ３を受けるか、又はインタフェース部４３がホストコンピュータ１５からの印刷データを画像データとして受信すると、ＣＰＵ４１は画像データをＲＡＭ５１に記録する。
【０１２４】
そして、画像処理部４８の図示されない印刷用データ画像処理手段は、印刷用データ画像処理を行い、ＲＡＭ５１から画像データを読み出し、赤及び黒の印刷用データに変換し、該印刷用データに対してガンマ補正、伸長／圧縮、色変換、２値化変換等の印刷用の画像処理を行う。
【０１２５】
例えば、原稿を複写するときには、画像処理部４８は、フルカラー読取モードで原稿の画像を読み取ることによって生成されたフルカラーの画像データＤｐ１をスキャナ４０から受けると、画像データＤｐ１を赤及び黒の印刷用データに変換し、それぞれＬＥＤヘッド１６２Ｒ及びＬＥＤヘッド１６２Ｂｋに送る。
【０１２６】
また、画像処理部４８は、２色カラー読取モードで赤黒原稿の画像を読み取ることによって生成された２色カラーの画像データＤｐ２をスキャナ４０から受けると、画像データＤｐ２を赤及び黒の印刷用データに変換し、それぞれＬＥＤヘッド１６２Ｒ及びＬＥＤヘッド１６２Ｂｋに送る。
【０１２７】
さらに、画像処理部４８は、モノクロ読取モードで原稿の画像を読み取ることによって生成されたモノクロの画像データＤｐ３をスキャナ４０から受けると、画像データＤｐ３を黒の印刷用データに変換し、ＬＥＤヘッド１６２Ｂｋに送る。
【０１２８】
なお、前記画像処理部４８はＣＰＵ４１に接続され、該ＣＰＵ４１は、画像処理部４８による画像処理のタイミングを制御する。
【０１２９】
次に、前記画像処理部３２において、補正データＤｍｒ’、Ｄｍｇ’に基づいて２色カラーの画像データＤｐ２を生成する方法について説明する。
【０１３０】
図７は本発明の第１の実施の形態における２色カラー読取モードで原稿の画像を読み取る場合に２色カラーの画像データを生成する方法を説明するための図である。
【０１３１】
この場合、１ラインの赤黒原稿の画像を読み取る場合について説明する。
【０１３２】
まず、前記画像処理部３２は、メモリ３３を参照し、１ライン分の各画素ｐｘｊの補正データＤｍｒ’、Ｄｍｇ’を読み込み、画素ごとに補正データＤｍｒ’、Ｄｍｇ’を比較し、比較結果に基づいて２色カラーの画像データＤｐ２を生成する。なお、本実施の形態において、補正データＤｍｒ’、Ｄｍｇ’は１バイトのデータであり、０〜２５５の値を採る。
【０１３３】
すなわち、画像データＤｐ２はＲ値、Ｇ値及びＢ値から成り、Ｒ値は補正データＤｍｒ’の値と等しくし、
Ｒ＝Ｄｍｒ’
とする。また、Ｇ値及びＢ値は、補正データＤｍｒ’、Ｄｍｇ’の比較結果に基づいて生成される。すなわち、
Ｄｍｒ’≧Ｄｍｇ’
である場合、
Ｇ＝Ｄｍｇ’
Ｂ＝Ｄｍｇ’
にされる。
【０１３４】
そして、
Ｄｍｒ’＜Ｄｍｇ’
である場合、
Ｇ＝Ｄｍｒ’
Ｂ＝Ｄｍｒ’
にされる。
【０１３５】
例えば、画素ｐｘ１については、補正データＤｍｒ’、Ｄｍｇ’が、
Ｄｍｒ’＝２５５
Ｄｍｇ’＝２５５
であるので、Ｒ値、Ｇ値及びＢ値は、
Ｒ＝２５５
Ｇ＝２５５
Ｂ＝２５５
になり、赤黒画像で表示される色は白になる。
【０１３６】
また、画素ｐｘ２については、補正データＤｍｒ’、Ｄｍｇ’が、
Ｄｍｒ’＝２５５
Ｄｍｇ’＝０
であるので、Ｒ値、Ｇ値及びＢ値は、
Ｒ＝２５５
Ｇ＝０
Ｂ＝０
になり、赤黒画像で表示される色は赤になる。
【０１３７】
そして、画素ｐｘ３については、補正データＤｍｒ’、Ｄｍｇ’が、
Ｄｍｒ’＝１２７
Ｄｍｇ’＝０
であるので、Ｒ値、Ｇ値及びＢ値は、
Ｒ＝１２７
Ｇ＝０
Ｂ＝０
になり、赤黒画像で表示される色は赤になる。
【０１３８】
また、画素ｐｘ４については、補正データＤｍｒ’、Ｄｍｇ’が、
Ｄｍｒ’＝２５５
Ｄｍｇ’＝１２７
であるので、Ｒ値、Ｇ値及びＢ値は、
Ｒ＝２５５
Ｇ＝１２７
Ｂ＝１２７
になり、赤黒画像で表示される色は赤になる。
【０１３９】
そして、画素ｐｘ５については、補正データＤｍｒ’、Ｄｍｇ’が、
Ｄｍｒ’＝０
Ｄｍｇ’＝０
であるので、Ｒ値、Ｇ値及びＢ値は、
Ｒ＝０
Ｇ＝０
Ｂ＝０
になり、赤黒画像で表示される色は黒になる。
【０１４０】
また、画素ｐｘ６については、補正データＤｍｒ’、Ｄｍｇ’が、
Ｄｍｒ’＝０
Ｄｍｇ’＝２５５
であるので、Ｒ値、Ｇ値及びＢ値は、
Ｒ＝０
Ｇ＝０
Ｂ＝０
になり、赤黒画像で表示される色は黒になる。
【０１４１】
そして、画素ｐｘ７については、補正データＤｍｒ’、Ｄｍｇ’が、
Ｄｍｒ’＝０
Ｄｍｇ’＝１２７
であるので、Ｒ値、Ｇ値及びＢ値は、
Ｒ＝０
Ｇ＝０
Ｂ＝０
になり、赤黒画像で表示される色は黒になる。
【０１４２】
また、画素ｐｘ８については、補正データＤｍｒ’、Ｄｍｇ’が、
Ｄｍｒ’＝１２７
Ｄｍｇ’＝１２７
であるので、Ｒ値、Ｇ値及びＢ値は、
Ｒ＝１２７
Ｇ＝１２７
Ｂ＝１２７
になり、赤黒画像で表示される色は灰になる。
【０１４３】
そして、画素ｐｘ９については、補正データＤｍｒ’、Ｄｍｇ’が、
Ｄｍｒ’＝１２７
Ｄｍｇ’＝２５５
であるので、Ｒ値、Ｇ値及びＢ値は、
Ｒ＝１２７
Ｇ＝１２７
Ｂ＝１２７
になり、赤黒画像で表示される色は灰になる。
【０１４４】
このようにして、１ラインの赤黒画像の画像データＤｐ２を生成することができる。
【０１４５】
なお、画像データＤｐ２は、プリンタ２０に送られると、ＲＡＭ５１に記録され、前述されたように、印刷用データ画像処理手段は、ＲＡＭ５１から画像データを読み出し、赤及び黒の印刷用データに変換する。このとき、赤黒画像で表示される色が白である場合、プリンタ２０における赤及び黒のトナー像は形成されない。また、赤黒画像で表示される色が灰である場合、プリンタ２０において黒のトナー像の濃度が低くされる。
【０１４６】
次に、前記操作パネル４４について説明する。
【０１４７】
図８は本発明の第１の実施の形態における操作パネルを示す図、図９は本発明の第１の実施の形態におけるスキャン機能の選択画面の例を示す図である。
【０１４８】
図において、４４はスキャナ４０の上面の所定の箇所に配設された操作パネルであり、該操作パネル４４は、操作部３０１及び表示部３０２を備える。
【０１４９】
前記操作部３０１は、数字を入力するためのテンキー３０３、原稿の読取りを行うための機能キーであるスキャンボタン３０５、原稿のモノクロ複写を行うための機能キーであるモノクロコピーボタン３０６、及び赤黒原稿の赤黒カラー複写を行うための機能キーである赤黒コピーボタン３０７等を備える。
【０１５０】
また、前記表示部３０２はＬＣＤ（Ｌｉｑｕｉｄ  Ｃｒｉｓｔａｌ  Ｄｉｓｐｌａｙ）等のディスプレイ３０９を備える。
【０１５１】
操作者が前記スキャンボタン３０５を押下すると、複合機１０においてスキャンの機能が選択され、ディスプレイ３０９に、図９に示されるようなスキャン機能選択画面ｄ１が形成され、該スキャン機能選択画面ｄ１に、モノクロ原稿の画像を読み取るための操作要素であるモノクロスキャンキーｋ１、フルカラー原稿の画像を読み取るための操作要素であるフルカラースキャンキーｋ２、及び赤黒画像の原稿を読み取るための操作要素である赤黒スキャンキーｋ３が表示される。
【０１５２】
操作者が、モノクロスキャンキーｋ１を押下すると、フラットベッド部８０又は自動原稿送り部９０にセットされたモノクロ原稿の画像が読み取られ、フルカラースキャンキーｋ２を押下すると、フラットベッド部８０又は自動原稿送り部９０にセットされたフルカラー原稿の画像が読み取られ、赤黒スキャンキーｋ３を押下すると、フラットベッド部８０又は自動原稿送り部９０にセットされた赤黒原稿の画像が読み取られる。
【０１５３】
また、操作者が、前記モノクロコピーボタン３０６を押下すると、フラットベッド部８０又は自動原稿送り部９０にセットされたモノクロ原稿がモノクロ複写され、赤黒コピーボタン３０７を押下すると、フラットベッド部８０又は自動原稿送り部９０にセットされた赤黒原稿が２色カラー複写、本実施の形態においては、赤黒カラー複写される。
【０１５４】
次に、赤黒原稿を赤黒複写するときの複合機１０の動作について説明する。
【０１５５】
図１０は本発明の第１の実施の形態における赤黒原稿を赤黒複写するときの複合機の動作を示すフローチャートである。
【０１５６】
この場合、スキャナ４０において、フラットベッド部８０にセットされた赤黒原稿を２色カラー読取モードで読み取り、それにより生成された２色カラーの画像データＤｐ２に基づいて、プリンタ２０において印刷を行う場合について説明する。
【０１５７】
まず、操作者が、赤黒原稿をフラットベッド部原稿台１３３に載置し、フラットベッド部８０にセットし、赤黒コピーボタン３０７を押下すると、搬送制御部３４において、ドライバ駆動部２３３（図６）は、ステッピングモータＳｔｍ２を駆動し、イメージセンサユニット３８を移動させ、白基準板１３９と対向する位置に置き、続いて、密着イメージセンサ制御部２２及び光源制御部２５は、シェーディング動作を行う。これにより、発光素子ＲＬＥＤ、ＧＬＥＤはオンにされ、発光色光Ｌｒ及び発光色光Ｌｇを発光し、密着イメージセンサ２３は、白基準板１３９からの発光色光Ｌｒの反射光によって明出力アナログ信号Ｓｗｒを、白基準板１３９からの発光色光Ｌｇの反射光によって明出力アナログ信号Ｓｗｇを生成する。また、このとき、発光素子ＲＬＥＤ、ＧＬＥＤ、ＢＬＥＤがすべてオフにされ、密着イメージセンサ２３は暗出力アナログ信号Ｓｋを生成する。
【０１５８】
続いて、密着イメージセンサ２３が副走査方向Ｙに沿って白基準板１３９の複数のラインＬｉの画像を読み取った後、平均化回路３０は、明出力アナログ信号Ｓｗｒ、Ｓｗｇに基づいて、各画素ｐｘｊごとの明出力データＤｗｒの平均値を白基準データＷｒ（ｐｘｊ）として、明出力データＤｗｇの平均値を白基準データＷｇ（ｐｘｊ）として算出する。また、密着イメージセンサ２３が、発光素子ＲＬＥＤ、ＧＬＥＤ、ＢＬＥＤをすべてオフにした状態で、副走査方向Ｙに沿って白基準板１３９の複数のラインＬｉの画像を読み取った後、平均化回路３０は、各画素ｐｘｊごとの暗出力データＤｋの平均値を黒基準データＷｋ（ｐｘｊ）として算出する。
【０１５９】
次に、搬送制御部３４において、ドライバ駆動部２３３は、ステッピングモータＳｔｍ２を駆動し、イメージセンサユニット３８をコンタクトガラス１３４に沿って移動させ、密着イメージセンサ制御部２２及び光源制御部２５は、密着イメージセンサ２３及びＬＥＤ光源２０１を制御して、フラットベッド部原稿台１３３上に載置された赤黒原稿を走査して画像を読み取る。
【０１６０】
これにより、発光素子ＲＬＥＤ、ＧＬＥＤはオンにされ、発光色光Ｌｒ、Ｌｇを発光し、密着イメージセンサ２３は、赤黒原稿からの発光色光Ｌｒの反射光によって原稿アナログ信号Ｓｍｒを、赤黒原稿からの発光色光Ｌｇの反射光によって原稿アナログ信号Ｓｍｇを生成する。続いて、アナログ／デジタル変換回路２６は、原稿アナログ信号Ｓｍｒを原稿データＤｍｒに変換し、原稿アナログ信号Ｓｍｇを原稿データＤｍｇに変換する。
【０１６１】
次に、シェーディング回路３１は、シェーディング補正を行い、白基準データＷｒ（ｐｘｈ）及び黒基準データＷｋ（ｐｘｈ）に基づいて原稿データＤｍｒを補正して補正データＤｍｒ’を生成し、白基準データＷｇ（ｐｘｈ）及び黒基準データＷｋ（ｐｘｈ）に基づいて原稿データＤｍｇを補正して補正データＤｍｇ’を生成する。
【０１６２】
このように、発光素子ＲＬＥＤ、ＧＬＥＤが発光色光Ｌｒ、発光色光Ｌｇを発光するごとに、密着イメージセンサ２３によって１ラインの画像が読み取られる。
【０１６３】
このようにして、赤黒原稿の読取りが終了すると、画像処理部３２は、１ライン分の各画素ｐｘｊの補正データＤｍｒ’、Ｄｍｇ’を読み込み、各画素ごとに補正データＤｍｒ’、Ｄｍｇ’を比較し、比較結果に基づいて２色カラーの画像データＤｐ２を生成し、メモリ３３に記録する。
【０１６４】
次に、前記スキャン画像処理手段は、メモリ３３に記録された画像データＤｐ２に対して、ラインごとにガンマ補正、色変換、圧縮処理等のスキャン画像用の画像処理を行う。
【０１６５】
続いて、ＣＰＵ２１はスキャン画像処理が行われた後の画像データＤｐ２をプリンタ２０に送り、ＲＡＭ５１に記録する。そして、前記印刷用データ画像処理手段は、ＲＡＭ５１に記録された画像データＤｐ２を赤及び黒の印刷用データに変換し、各印刷用データに対して、ガンマ補正、伸長／圧縮、２値化変換等の印刷用の画像処理を行う。
【０１６６】
次に、画像処理部４８は、黒の印刷用データをＬＥＤヘッド１６２Ｂｋに、赤の印刷用データをＬＥＤヘッド１６２Ｒに供給し、制御部５２は、画像形成ユニット１６０Ｂｋによって黒のトナー像を、画像形成ユニット１６０Ｒによって赤のトナー像を形成し、エンジン制御部４６は、印刷エンジン部４５を制御して、画像形成ユニット１６０Ｂｋ、１６０Ｒによって形成された黒のトナー像及び赤のトナー像を、搬送されてきた用紙Ｐ１に重ねて転写し、黒及び赤のトナー像を形成する。
【０１６７】
そして、定着装置１６８は、黒及び赤のトナー像を用紙Ｐ１に定着させ、排出ローラ対１８２は、黒及び赤のトナー像が定着させられた用紙Ｐ１をスタッカ１８３に積載する。
【０１６８】
このように、本実施の形態においては、発光素子ＲＬＥＤ、ＧＬＥＤが発光した発光色光Ｌｒ、Ｌｇが原稿に照射され、密着イメージセンサ２３によって原稿での反射光が受けられ、アナログ信号が生成され、該アナログ信号に基づいて画像データが生成されるので、スキャナ４０における２色カラー読取モードで赤黒原稿の画像を読み取る際の、１ラインごとの発光素子ＲＬＥＤ、ＧＬＥＤが発光する時間、すなわち、合計の発光時間を短くすることができる。したがって、赤黒原稿等の色数が少ない原稿を高速で読み取ることができ、読取速度を高くすることができる。
【０１６９】
また、１ラインごとに発光素子ＲＬＥＤ、ＧＬＥＤだけがオンにされるので、ＬＥＤ光源２０１の消費電力量を削減し、低電力で赤黒原稿の画像を読み取ることができる。
【０１７０】
次に、図１０のフローチャートについて説明する。
ステップＳ１  密着イメージセンサ制御部２２及び光源制御部２５はシェーディング動作を行う。
ステップＳ２  平均化回路３０は白基準データＷｒ、Ｗｇ及び黒基準データＷｋをそれぞれ算出する。
ステップＳ３  密着イメージセンサ２３及びＬＥＤ光源２０１は赤黒原稿の画像を読み取る。
ステップＳ４  シェーディング回路３１はシェーディング補正を行う。
ステップＳ５  読取りが終了したかどうかを判断する。読取りが終了した場合はステップＳ６に進み、読取りが終了していない場合はステップＳ３に戻る。
ステップＳ６  画像処理部３２は画像データＤｐ２を生成する。
ステップＳ７  スキャン画像処理手段はスキャン画像処理を行う。
ステップＳ８  印刷用データ画像処理手段は印刷用データ画像処理を行う。
ステップＳ９  制御部５２及びエンジン制御部４６はトナー像を形成する。
ステップＳ１０  定着装置１６８は、トナー像を用紙Ｐ１に定着させ、処理を終了する。
【０１７１】
次に、スキャナ４０において、２色カラー読取モードで、赤黒原稿の画像を読み取る場合のＬＥＤ光源２０１及び密着イメージセンサ２３の動作について説明する。
【０１７２】
図１１は本発明の第１の実施の形態における２色カラー読取モードで赤黒原稿の画像を読み取る場合のＬＥＤ光源及び密着イメージセンサの動作を説明するためのタイムチャートである。
【０１７３】
図において、Ｔｓは赤黒原稿の画像の読取を開始するタイミング、Ｔｅは赤黒原稿の画像の読取を終了するタイミング、τは密着イメージセンサ２３によって赤黒原稿における１ラインの画像を読み取る周期であり、前記周期τを二つに分割することによって、密着イメージセンサ２３がアナログ信号を出力する周期Ｔ
Ｔ＝τ／２
が設定される。そのために、周期Ｔが経過するごとに、密着イメージセンサ制御部２２は密着イメージセンサライン信号ＳＧＬをオンにする。
【０１７４】
密着イメージセンサライン信号ＳＧＬがオンにされると、光源制御部２５は、所定のタイミングで発光素子ＲＬＥＤをオンにし、発光色光Ｌｒを発光させる。これにより、撮像素子アレイ２０４において電荷が蓄積される。
【０１７５】
続いて、周期Ｔが経過し、密着イメージセンサライン信号ＳＧＬが再びオンにされると、光源制御部２５は、所定のタイミングで発光素子ＧＬＥＤをオンにし、発光色光Ｌｇを発光させる。これにより、撮像素子アレイ２０４において再び電荷が蓄積される。また、この間に、前の周期Ｔで蓄積された電荷は、アナログ信号としてアナログ／デジタル変換回路２６に送られる。
【０１７６】
このようにして、あらかじめ決められたラインの数だけ繰り返し、ラインごとに原稿の画像を読み取る。この場合、赤黒原稿の１ラインの画像を読み取るための発光素子の発光時間Ｔｌｅｄは、発光素子ＲＬＥＤの発光時間をｔ１とし、発光素子ＧＬＥＤの発光時間をｔ２とすると、
Ｔｌｅｄ＝ｔ１＋ｔ２
になる。なお、発光素子ＲＬＥＤの発光時間ｔ１及び発光素子ＧＬＥＤの発光時間ｔ２は、光源制御部２５によって設定される。
【０１７７】
また、前記周期Ｔは、密着イメージセンサ制御部２２において発光素子ＲＬＥＤの発光時間ｔ１及び発光素子ＧＬＥＤの発光時間ｔ２に基づいて設定される。
【０１７８】
そして、自動原稿送り部９０にセットされた赤黒原稿の画像を読み取る場合には、原稿を１ライン分搬送するための時間に応じて、フラットベッド部８０にセットされた赤黒原稿の画像を読み取る場合には、イメージセンサユニット３８を１ライン分移動させるための時間に応じて前記周期τが設定される。したがって、ステッピングモータＳｔｍ１、Ｓｔｍ２の１ステップ分の周期は、搬送制御部３４において周期τに基づいて設定される。
【０１７９】
次に、フルカラー読取モードで赤黒原稿の画像を読み取るようにした比較例について説明する。
【０１８０】
図１２は、本実施の第１の形態におけるフルカラー読取モードで赤黒原稿の画像を読み取る場合のＬＥＤ光源及び密着イメージセンサの動作を説明するためのタイムチャートである。
【０１８１】
図において、Ｔｓは赤黒原稿の画像の読取を開始するタイミング、Ｔｅは赤黒原稿の画像の読取を終了するタイミング、τ’は密着イメージセンサ２３によって赤黒原稿における１ラインの画像を読み取る周期であり、前記周期τ’を三つに分割することによって、密着イメージセンサ２３がアナログ信号を出力する周期Ｔ
Ｔ＝τ’／３
が設定される。そのために、周期Ｔが経過するごとに、密着イメージセンサ制御部２２は密着イメージセンサライン信号ＳＧＬをオンにする。
【０１８２】
密着イメージセンサライン信号ＳＧＬがオンにされると、光源制御部２５は、所定のタイミングで発光素子ＲＬＥＤをオンにし、発光色光Ｌｒを発光させる。これにより、撮像素子アレイ２０４において電荷が蓄積される。
【０１８３】
続いて、周期Ｔが経過し、密着イメージセンサライン信号ＳＧＬが再びオンにされると、光源制御部２５は、所定のタイミングで発光素子ＧＬＥＤをオンにし、発光色光Ｌｇを発光させる。これにより、撮像素子アレイ２０４において再び電荷が蓄積される。また、この間に、前の周期Ｔで蓄積された電荷は、アナログ信号としてアナログ／デジタル変換回路２６に送られる。
【０１８４】
さらに、周期Ｔが経過し、密着イメージセンサライン信号ＳＧＬが再びオンにされると、光源制御部２５は、所定のタイミングで発光素子ＢＬＥＤをオンにし、発光色光Ｌｂを発光させる。これにより、撮像素子アレイ２０４において再び電荷が蓄積される。また、この間に、前の周期Ｔで蓄積された電荷は、アナログ信号としてアナログ／デジタル変換回路２６に送られる。
【０１８５】
このようにして、あらかじめ決められたラインの数だけ繰り返し、ラインごとに原稿の画像を読み取る。この場合、赤黒原稿の１ラインの画像を読み取るための発光素子の合計の発光時間Ｔｌｅｄ’は、発光素子ＲＬＥＤの発光時間をｔ１とし、発光素子ＧＬＥＤの発光時間をｔ２とし、発光素子ＢＬＥＤの発光時間をｔ３とすると、
Ｔｌｅｄ’＝ｔ１＋ｔ２＋ｔ３
になる。
【０１８６】
このように、スキャナ４０において、２色カラー読取モードで赤黒原稿の画像を読み取る場合の発光素子の合計の発光時間Ｔｌｅｄは、フルカラー読取モードで赤黒原稿の画像を読み取る場合より発光時間ｔ３だけ短くすることができる。
【０１８７】
次に、本発明の第２の実施の形態について説明する。なお、第１の実施の形態と同じ構造を有するものについては、同じ符号を付与し、同じ構造を有することによる発明の効果については同実施の形態の効果を援用する。
【０１８８】
図１３は本発明の第２の実施の形態における複合機の概略図である。
【０１８９】
この場合、静電潜像形成部１５１には、ブラック、イエロー、マゼンタ及びシアンの各色に対応する現像剤像としてのトナー像を形成するための画像形成ユニット１６０Ｂｋ、１６０Ｙ、１６０Ｍ、１６０Ｃが装置本体に対して着脱自在に配設され、各画像形成ユニット１６０Ｂｋ、１６０Ｙ、１６０Ｍ、１６０Ｃのフレームに現像剤収容部としてのトナーカートリッジ１７０Ｂｋ、１７０Ｙ、１７０Ｍ、１７０Ｃがそれぞれ装着され、各画像形成ユニット１６０Ｂｋ、１６０Ｙ、１６０Ｍ、１６０Ｃに像担持体としての感光体ドラム１６１が配設され、該感光体ドラム１６１と対向させて露光装置としてのＬＥＤヘッド１６２Ｂｋ、１６２Ｙ、１６２Ｍ、１６２Ｃが配設される。
【０１９０】
また、転写ユニット１５２には、搬送ベルト１６５を介して前記各感光体ドラム１６１と対向させて転写部材としての転写ローラ１６６が配設される。
【０１９１】
なお、本実施の形態においては、前記各画像形成ユニット１６０Ｂｋ、１６０Ｙ、１６０Ｍ、１６０Ｃのうちの所定の画像形成ユニットが装置本体に装着されていない場合でも、装置本体に装着されている画像形成ユニットを使用して印刷を行うことができるようになっている。
【０１９２】
各画像形成ユニット１６０Ｂｋ、１６０Ｙ、１６０Ｍ、１６０Ｃが、装置本体に装着されたことを検出するために、装置本体に装着検出部としてのセンサｑ１〜ｑ４がそれぞれ配設される。該各センサｑ１〜ｑ４は、いずれも図示されない発光部及び受光部を備えた光電センサから成り、画像形成ユニット１６０Ｂｋ、１６０Ｙ、１６０Ｍ、１６０Ｃの装着に伴って図示されないシャッタが発光部と受光部との間を遮断すると、発光部からの光がシャッタを照射したときの反射光を受光部が受光して受光信号を生成するようになっている。ＣＰＵ４１は、受光信号を読み取り、受光信号の信号レベルに基づいて画像形成ユニット１６０Ｂｋ、１６０Ｙ、１６０Ｍ、１６０Ｃが装置本体に装着されているかどうかを判断する。
【０１９３】
次に、前記複合機１０の制御装置について説明する。
【０１９４】
図１４は本発明の第２の実施の形態における複合機の第１の制御ブロック図、図１５は本発明の第２の実施の形態における複合機の第２の制御ブロック図、図１６は本発明の第２の実施の形態における画像出力テーブルの例を示す図である。
【０１９５】
この場合、ブラック、イエロー、マゼンタ及びシアンの各画像形成ユニット１６０Ｂｋ、１６０Ｙ、１６０Ｍ、１６０Ｃが配設され、該画像形成ユニット１６０Ｂｋ、１６０Ｙ、１６０Ｍ、１６０Ｃは印刷制御部としての制御部５２Ａによって制御される。
【０１９６】
第２の主制御部としてのＣＰＵ４１は、第３の記憶部としてのＲＯＭ５０Ａに記録された各種の制御プログラムに基づいてプリンタ２０の全体の制御を行う。そして、ＲＯＭ５０Ａに記録された画像形成プログラムによって、画像データＤｐ１〜Ｄｐ３がブラック、イエロー、マゼンタ及びシアンの印刷用データに変換され、ＲＯＭ５０Ａに記録されたエンジン制御プログラムによって、画像形成ユニット１６０Ｂｋ、１６０Ｙ、１６０Ｍ、１６０Ｃにおいてブラック、イエロー、マゼンタ及びシアンの各トナー像が形成されるようになっている。
【０１９７】
また、ＲＯＭ５０Ａには、図１６に示されるような画像出力テーブルが記録され、該画像出力テーブルに、画像形成ユニット１６０Ｂｋ、１６０Ｙ、１６０Ｍ、１６０Ｃの装着本体への装着の有無と、プリンタ２０において装着されている画像形成ユニットによって印刷可能な画像出力と、そのためにオンにされるＬＥＤ光源２０１の発光素子とが対応させて記録される。
【０１９８】
例えば、画像形成ユニット１６０Ｂｋ、１６０Ｙ、１６０Ｍ、１６０Ｃが装着されている場合、発光素子ＲＬＥＤ、ＧＬＥＤ、ＢＬＥＤをオンにすることによって、ブラック、イエロー、マゼンタ及びシアンの現像剤としてのトナーに基づいて印刷可能な画像出力としてフルカラー印刷が行われ、画像形成ユニット１６０Ｂｋ、１６０Ｙ、１６０Ｍが装着されていて、画像形成ユニット１６０Ｃが装着されていない場合、発光素子ＲＬＥＤ、ＧＬＥＤをオンにするか、又は発光素子ＲＬＥＤ、ＢＬＥＤをオンにすることによって、ブラック、イエロー及びマゼンタのトナーに基づいて印刷可能な画像出力として赤及び黒の２色カラー印刷が行われ、画像形成ユニット１６０Ｂｋ、１６０Ｍ、１６０Ｃが装着されていて、画像形成ユニット１６０Ｙが装着されていない場合、発光素子ＢＬＥＤ、ＧＬＥＤをオンにするか、又は発光素子ＢＬＥＤ、ＲＬＥＤをオンにすることによって、ブラック、マゼンタ及びシアンのトナーに基づいて印刷可能な画像出力として青及び黒の２色カラー印刷が行われ、画像形成ユニット１６０Ｂｋ、１６０Ｙ、１６０Ｃが装着されていて、画像形成ユニット１６０Ｍが装着されていない場合、発光素子ＧＬＥＤ、ＲＬＥＤをオンにするか、又は発光素子ＧＬＥＤ、ＢＬＥＤをオンにすることによって、ブラック、イエロー及びシアンのトナーに基づいて印刷可能な画像出力として緑及び黒の２色カラー印刷が行われ、画像形成ユニット１６０Ｂｋ、１６０Ｙが装着されていて、画像形成ユニット１６０Ｍ、１６０Ｃが装着されていない場合、発光素子ＲＬＥＤ、ＢＬＥＤをオンにするか、又は発光素子ＧＬＥＤ、ＢＬＥＤをオンにすることによって、ブラック及びイエローのトナーに基づいて印刷可能な画像出力としてイエロー及び黒の２色カラー印刷が行われ、画像形成ユニット１６０Ｂｋ、１６０Ｍが装着されていて、画像形成ユニット１６０Ｙ、１６０Ｃが装着されていない場合、発光素子ＲＬＥＤ、ＧＬＥＤをオンにするか、又は発光素子ＢＬＥＤ、ＧＬＥＤをオンにすることによって、ブラック及びマゼンタのトナーに基づいて印刷可能な画像出力としてマゼンタ及び黒の２色カラー印刷が行われ、画像形成ユニット１６０Ｂｋ、１６０Ｃが装着されていて、画像形成ユニット１６０Ｙ、１６０Ｍが装着されていない場合、発光素子ＧＬＥＤ、ＲＬＥＤをオンにするか、又は発光素子ＢＬＥＤ、ＲＬＥＤをオンにすることによって、ブラック及びシアンのトナーに基づいて印刷可能な画像出力としてシアン及び黒の２色カラー印刷が行われる。
【０１９９】
次に、前記操作パネル４４について説明する。
【０２００】
図１７は本発明の第２の実施の形態における操作パネルを示す図、図１８は本発明の第２の実施の形態におけるカラー複写の選択画面の例を示す図である。
【０２０１】
図において、４４は画像読取部としての、かつ、画像読取装置としてのスキャナ４０の上面の所定の箇所に配設された操作パネルであり、該操作パネル４４は、操作部３０１及び表示部３０２を備える。
【０２０２】
前記操作部３０１は、数字を入力するためのテンキー３０３、原稿の読取りを行うための機能キーであるスキャンボタン３０５、原稿のモノクロ複写を行うための機能キーであるモノクロコピーボタン３０６、及び原稿のカラー複写を行うための機能キーであるカラーコピーボタン３１７等を備える。
【０２０３】
また、前記表示部３０２はＬＣＤ等のディスプレイ３０９を備える。
【０２０４】
操作者が前記カラーコピーボタン３１７を押下すると、ＣＰＵ４１は、装着判断処理を行い、装着検出部１００の各センサｑ１〜ｑ４における受光信号を読み取り、該受光信号の信号レベルに基づいて画像形成ユニット１６０Ｂｋ、１６０Ｙ、１６０Ｍ、１６０Ｃの装置本体への装着の有無を判断する。
【０２０５】
続いて、ＣＰＵ４１は、表示処理を行い、ＲＯＭ５０Ａに記録された画像出力テーブルを参照し、画像形成ユニット１６０Ｂｋ、１６０Ｙ、１６０Ｍ、１６０Ｃの装置本体への装着の有無に基づいて印刷可能な画像出力を読み出し、ディスプレイ３０９に、図１８に示されるようなカラーコピー選択画面ｄ２を形成し、該カラーコピー選択画面ｄ２に、印刷可能な画像出力のメニューを表示する。すなわち、前記表示処理手段は、カラーコピー選択画面ｄ２に、例えば、フルカラーのコピーが不可能であることを表すキーｋ１１、赤黒のコピーが可能であることを表すキーｋ１２、イエロー黒のコピーが可能であることを表すキーｋ１３、及びマゼンタ黒のコピーが可能であることを表すキーｋ１４を表示する。
【０２０６】
操作者がカラーコピー選択画面ｄ２で印刷可能な画像出力を選択すると、ＣＰＵ４１は、発光素子指定処理を行い、ＲＯＭ５０Ａに記録された画像出力テーブルを参照し、選択された画像出力に対応する発光素子を読み出すことによって指定し、スキャナ４０に送る。
【０２０７】
したがって、スキャナ４０において、光源制御部２５は、選択された画像出力に対応して指定された発光素子をオンにして対応する発光色光を発光させ、密着イメージセンサ２３は、イメージセンサ制御部としての密着イメージセンサ制御部２２によって制御されたタイミングで各アナログ信号を生成し、原稿データ生成部としてのアナログ／デジタル変換回路２６（ＡＦＥ）に送る。
【０２０８】
次に、赤黒原稿を赤黒複写するときの複合機１０の動作について説明する。
【０２０９】
図１９は本発明の第２の実施の形態における赤黒原稿を赤黒複写するときの複合機の動作を示すフローチャートである。
【０２１０】
この場合、スキャナ４０において、フラットベッド部８０にセットされた赤黒原稿を２色カラー読取モードで読み取り、それにより生成された２色カラーの画像データＤｐ２に基づいて、プリンタ２０において印刷を行う場合について説明する。
【０２１１】
まず、操作者が、赤黒原稿をフラットベッド部原稿台１３３に載置し、フラットベッド部８０にセットし、カラーコピーボタン３１７を押下すると、ＣＰＵ４１は、装着検出部１００の各センサｑ１〜ｑ４における受光信号を読み取り、受光信号の信号レベルに基づいて、画像形成ユニット１６０Ｂｋ、１６０Ｙ、１６０Ｍ、１６０Ｃが装置本体に装着されているかどうかを判断する。
【０２１２】
続いて、制御部５２Ａは、ＲＯＭ５０Ａに記録された画像出力テーブルを参照し、画像形成ユニット１６０Ｂｋ、１６０Ｙ、１６０Ｍ、１６０Ｃの装置本体への装着の有無に基づいて、印刷可能な画像出力を読み出し、ディスプレイ３０９に、図１８に示されるようなカラーコピー選択画面ｄ２を形成し、該カラーコピー選択画面ｄ２に、印刷可能な画像出力をメニューで表示する。
【０２１３】
続いて、操作者によって印刷可能な画像出力、例えば、赤黒コピーが選択されると、搬送制御部３４において、ドライバ駆動部２３３（図６）は、イメージセンサ移動用の駆動部としてのステッピングモータＳｔｍ２を駆動し、イメージセンサユニット３８を移動させ、白基準板１３９と対向する位置に置き、続いて、密着イメージセンサ制御部２２及び光源制御部２５はシェーディング動作を行う。これにより、発光素子ＲＬＥＤ、ＧＬＥＤは順次オンにされ、発光色光Ｌｒ及び発光色光Ｌｇを発光し、密着イメージセンサ２３は、白基準板１３９からの発光色光Ｌｒの反射光によって明出力アナログ信号Ｓｗｒを、白基準板１３９からの発光色光Ｌｇの反射光によって明出力アナログ信号Ｓｗｇを生成する。また、発光素子ＲＬＥＤ、ＧＬＥＤ、ＢＬＥＤがすべてオフにされ、密着イメージセンサ２３は暗出力アナログ信号Ｓｋを生成する。
【０２１４】
続いて、密着イメージセンサ２３が副走査方向Ｙに沿って白基準板１３９の複数のラインＬｉの画像を読み取った後、平均化回路３０は、明出力アナログ信号Ｓｗｒ、Ｓｗｇに基づいて、各画素ｐｘｊごとの明出力データＤｗｒの平均値を白基準データＷｒ（ｐｘｊ）として、明出力データＤｗｇの平均値を白基準データＷｇ（ｐｘｊ）として算出する。また、密着イメージセンサ２３が、発光素子ＲＬＥＤ、ＧＬＥＤ、ＢＬＥＤをすべて消灯した状態で、副走査方向Ｙに沿って白基準板１３９の複数のラインＬｉの画像を読み取った後、平均化回路３０は、各画素ｐｘｊごとの暗出力データＤｋの平均値を黒基準データＷｋ（ｐｘｊ）として算出する。
【０２１５】
次に、搬送制御部３４において、ドライバ駆動部２３３は、ステッピングモータＳｔｍ２を駆動し、イメージセンサユニット３８をコンタクトガラス１３４に沿って移動させ、密着イメージセンサ制御部２２及び光源制御部２５は、密着イメージセンサ２３及びＬＥＤ光源２０１を制御して、フラットベッド部原稿台１３３上に載置された赤黒原稿を走査して画像を読み取る。
【０２１６】
これにより、発光素子ＲＬＥＤ、ＧＬＥＤはオンにされ、発光色光Ｌｒ及び発光色光Ｌｇを発光し、密着イメージセンサ２３は、赤黒原稿での発光色光Ｌｒの反射光によって原稿アナログ信号Ｓｍｒを、赤黒原稿からの発光色光Ｌｇの反射光によって原稿アナログ信号Ｓｍｇを生成する。続いて、アナログ／デジタル変換回路２６は、原稿アナログ信号Ｓｍｒを原稿データＤｍｒに変換し、原稿アナログ信号Ｓｍｇを原稿データＤｍｇに変換する。
【０２１７】
次に、シェーディング回路３１は、シェーディング補正を行い、原稿データＤｍｒを白基準データＷｒ（ｐｘｈ）及び黒基準データＷｋ（ｐｘｈ）に基づいて補正して補正データＤｍｒ’を生成し、原稿データＤｍｇを白基準データＷｇ（ｐｘｈ）及び黒基準データＷｋ（ｐｘｈ）に基づいて補正して補正データＤｍｇ’を生成する。
【０２１８】
このようにして、赤黒原稿の読取りが終了すると、画像処理部３２は、１ライン分の各画素ｐｘｊの補正データＤｍｒ’、Ｄｍｇ’を読み込み、画素ごとに補正データＤｍｒ’、Ｄｍｇ’を比較し、比較結果に基づいて２色カラーの画像データＤｐ２を生成し、メモリ３３に記録する。
【０２１９】
次に、画像処理部３２は、スキャン画像処理を行い、メモリ３３に記録された画像データＤｐ２に対して、ラインごとにガンマ補正、色変換、圧縮処理等のスキャン画像用の画像処理を行う。
【０２２０】
続いて、ＣＰＵ２１はスキャン画像処理が行われた後の画像データＤｐ２をプリンタ２０に送り、ＲＡＭ５１に記録する。そして、画像処理部４８Ａは、印刷用データ画像処理を行い、ＲＡＭ５１に記録された画像データＤｐ２を黒の印刷用データ、イエローの印刷用データ及びマゼンタの印刷用データにそれぞれ変換し、各印刷用データに対して、ガンマ補正、２値化変換等の印刷用の画像処理を行う。
【０２２１】
次に、画像処理部４８Ａは、黒の印刷用データをＬＥＤヘッド１６２Ｂｋに、赤の印刷用データをＬＥＤヘッド１６２Ｒに供給し、イエローの印刷用データをＬＥＤヘッド１６２Ｙに供給し、マゼンタの印刷用データをＬＥＤヘッド１６２Ｍに供給し、制御部５２Ａは、画像形成ユニット１６０Ｂｋによって黒のトナー像を、画像形成ユニット１６０Ｙによってイエローのトナー像を、画像形成ユニット１６０Ｍにてマゼンタのトナー像を形成し、エンジン制御部４６は、印刷エンジン部４５を制御して、画像形成ユニット１６０Ｂｋ、１６０Ｙ、１６０Ｍに形成された黒、イエロー及びマゼンタのトナー像を、搬送されてきた用紙Ｐ１に重ねて転写し、黒及び赤のトナー像を形成する。
【０２２２】
そして、定着器としての定着装置１６８は黒及び赤のトナー像を用紙Ｐ１に定着させ、黒及び赤のトナー像が定着させられた用紙Ｐ１はスタッカ１８３に積載される。
【０２２３】
このように、本実施の形態においては、画像形成ユニット１６０Ｂｋ、１６０Ｙ、１６０Ｍ、１６０Ｃの装置本体への装着の有無が判断され、装置本体に装着された画像形成ユニットに応じたＬＥＤ光源２０１の二つの発光素子によって発光色光が発光されるので、色数が少ない原稿を高速で読み取ることができる。
【０２２４】
また、１ラインごとに、装置本体に装着された画像形成ユニットに応じた二つの発光素子だけがオンにされるので、ＬＥＤ光源２０１の消費電力量を削減し、低電力で赤黒原稿の画像を読み取ることができる。
【０２２５】
そして、装置本体に装着された画像形成ユニットに応じた二つの発光素子だけがオンにされるので、赤黒原稿だけでなく、青黒原稿、緑黒原稿、イエロー黒原稿、マゼンタ黒原稿、シアン黒原稿等の色数が少ない原稿の画像を高速で読み取ることができる。
【０２２６】
さらに、画像形成ユニット１６０Ｂｋ、１６０Ｙ、１６０Ｍ、１６０Ｃの装置本体への装着の有無に基づいて、印刷可能な画像出力が読み出され、カラーコピー選択画面ｄ２に、印刷可能な画像出力がメニューで表示されるので、操作者は、原稿載置台１２１又はフラットベッド部原稿台１３３に載置された原稿の色を見て、原稿の色に近い画像出力を選択することができる。
【０２２７】
このように、本発明の第２の実施の形態においては、第１の実施の形態のように、原稿の読取速度を高くしたり、消費電力量を削減したりすることができるだけでなく、使用上の利便性を高くすることができる。
【０２２８】
次に、図１９のフローチャートについて説明する。
ステップＳ１１  ＣＰＵ４１は画像形成ユニット１６０Ｂｋ、１６０Ｙ、１６０Ｍ、１６０Ｃの装着の有無を判断する。
ステップＳ１２  制御部５２Ａは、ディスプレイ３０９に印刷可能な画像出力を表示する。
ステップＳ１３  画像出力が選択されるのを待機し、画像出力が選択された場合はステップＳ１４に進む。
ステップＳ１４  密着イメージセンサ制御部２２及び光源制御部２５はシェーディング動作を行う。
ステップＳ１５  平均化回路３０は白基準データＷｒ、Ｗｇ及び黒基準データＷｋをそれぞれ算出する。
ステップＳ１６  密着イメージセンサ２３及びＬＥＤ光源２０１は赤黒原稿の画像を読み取る。
ステップＳ１７  シェーディング回路３１はシェーディング補正を行う。
ステップＳ１８  読取りが終了したかどうかを判断する。読取りが終了した場合はステップＳ１９に進み、読取りが終了していない場合はステップＳ１６に戻る。
ステップＳ１９  画像処理部３２は画像データＤｐ２を生成する。
ステップＳ２０  スキャン画像処理手段はスキャン画像処理を行う。
ステップＳ２１  印刷用データ画像処理手段は印刷用データ画像処理を行う。
ステップＳ２２  制御部５２Ａ及びエンジン制御部４６はトナー像を形成する。
ステップＳ２３  定着装置１６８は、トナー像を用紙Ｐ１に定着させ、処理を終了する。
【０２２９】
なお、前記第１の実施の形態においては、赤黒原稿の画像を読み取る場合、発光素子ＲＬＥＤ、ＧＬＥＤがオンにされ、発光色光Ｌｒ、Ｌｇの発光によって密着イメージセンサ２３が生成する原稿アナログ信号Ｓｍｒ、Ｓｍｇが原稿データＤｍｒ、Ｄｍｇに変換され、原稿データＤｍｒ、Ｄｍｇの補正データＤｍｒ’、Ｄｍｇ’に基づいてＲ値、Ｇ値及びＢ値から成る２色カラーの画像データＤｐ２が生成されるようになっている。
【０２３０】
本実施の形態においても、発光素子ＲＬＥＤ、ＧＬＥＤがオンにされ、発光色光Ｌｒ、Ｌｇの発光に基づいて原稿データＤｍｒ、Ｄｍｇが生成され、補正データＤｍｒ’、Ｄｍｇ’に基づいてＲ値、Ｇ値及びＢ値から成る２色カラーの画像データＤｐ２が生成される。
【０２３１】
また、本実施の形態においては、図１６に示されるように、赤黒原稿の画像を読み取る場合、発光素子ＲＬＥＤ、ＧＬＥＤに代えて、発光素子ＲＬＥＤ、ＢＬＥＤをオンにし、発光色光Ｌｒ、Ｌｂの発光に基づいて原稿データＤｍｒ、Ｄｍｂを生成し、補正データＤｍｒ’、Ｄｍｂ’に基づいてＲ値、Ｇ値及びＢ値から成る２色カラーの画像データＤｐ２を生成することができる。
【０２３２】
同様に、青黒原稿の画像を読み取る場合、発光素子ＢＬＥＤ、ＧＬＥＤをオンにし、補正データＤｍｂ’、Ｄｍｇ’に基づいてＲ値、Ｇ値及びＢ値から成る２色カラーの画像データＤｐ２を生成したり、発光素子ＢＬＥＤ、ＲＬＥＤをオンにし、補正データＤｍｂ’、Ｄｍｒ’に基づいてＲ値、Ｇ値及びＢ値から成る２色カラーの画像データＤｐ２を生成したりすることができる。
【０２３３】
さらに、緑黒原稿の画像を読み取る場合、発光素子ＧＬＥＤ、ＲＬＥＤをオンにし、補正データＤｍｇ’、Ｄｍｒ’に基づいてＲ値、Ｇ値及びＢ値から成る２色カラーの画像データＤｐ２を生成したり、発光素子ＧＬＥＤ、ＢＬＥＤをオンにし、補正データＤｍｇ’、Ｄｍｂ’に基づいてＲ値、Ｇ値及びＢ値から成る２色カラーの画像データＤｐ２を生成したりすることができる。
【０２３４】
また、イエロー黒原稿の画像を読み取る場合、発光素子ＲＬＥＤ、ＢＬＥＤをオンにし、補正データＤｍｒ’、Ｄｍｂ’に基づいてＲ値、Ｇ値及びＢ値から成る２色カラーの画像データＤｐ２を生成したり、発光素子ＧＬＥＤ、ＢＬＥＤをオンにし、補正データＤｍｇ’、Ｄｍｂ’に基づいてＲ値、Ｇ値及びＢ値から成る２色カラーの画像データＤｐ２を生成したりすることができる。
【０２３５】
さらに、マゼンタ黒原稿の画像を読み取る場合、発光素子ＲＬＥＤ、ＧＬＥＤをオンにし、補正データＤｍｒ’、Ｄｍｇ’に基づいてＲ値、Ｇ値及びＢ値から成る２色カラーの画像データＤｐ２を生成したり、発光素子ＢＬＥＤ、ＧＬＥＤをオンにし、補正データＤｍｂ’、Ｄｍｇ’に基づいてＲ値、Ｇ値及びＢ値から成る２色カラーの画像データＤｐ２を生成したりすることができる。
【０２３６】
そして、シアン黒原稿の画像を読み取る場合、発光素子ＧＬＥＤ、ＲＬＥＤをオンにし、補正データＤｍｇ’、Ｄｍｒ’に基づいてＲ値、Ｇ値及びＢ値から成る２色カラーの画像データＤｐ２を生成したり、発光素子ＢＬＥＤ、ＲＬＥＤをオンにし、補正データＤｍｂ’、Ｄｍｒ’に基づいてＲ値、Ｇ値及びＢ値から成る２色カラーの画像データＤｐ２を生成したりすることができる。
【０２３７】
前記各実施の形態においては、スキャナ４０及びプリンタ２０を備えた複合機１０について説明したが、本発明を、スキャナ４０だけを備えたスキャナ装置、ファクシミリ装置等に適用することができる。
【０２３８】
そして、本実施の形態においては、２色のカラー原稿として赤黒原稿の画像を読み取るようになっているが、赤及び黒の組合せ以外の二つの色の原稿の画像を読み取ることができる。
【０２３９】
なお、本発明は前記各実施の形態に限定されるものではなく、本発明の趣旨に基づいて種々変形させることが可能であり、それらを本発明の範囲から排除するものではない。
【符号の説明】
【０２４０】
２３    密着イメージセンサ
２５    光源制御部
３２    画像処理部
４０    スキャナ
ＲＬＥＤ、ＧＬＥＤ、ＢＬＥＤ    発光素子
【図１】
2015012353.tif 000003
【図２】
2015012353.tif 000004
【図３】
2015012353.tif 000005
【図４】
2015012353.tif 000006
【図５】
2015012353.tif 000007
【図６】
2015012353.tif 000008
【図７】
2015012353.tif 000009
【図８】
2015012353.tif 000010
【図９】
2015012353.tif 000011
【図１０】
2015012353.tif 000012
【図１１】
2015012353.tif 000013
【図１２】
2015012353.tif 000014
【図１３】
2015012353.tif 000015
【図１４】
2015012353.tif 000016
【図１５】
2015012353.tif 000017
【図１６】
2015012353.tif 000018
【図１７】
2015012353.tif 000019
【図１８】
2015012353.tif 000020
【図１９】
2015012353.tif 000021